(57)【要約】【課題】血管損傷の部位における機能的内皮を再確立する効率的なシステム、ならびに、現在において利用可能な技術の制限を克服する局所的薬剤供与システムを提供すること。【解決手段】血管内へまたは身体内の管腔的構造へと植設されて積極的な血管の再構成を刺激する医療デバイスが提供される。ステントおよび合成グラフトなどの該医療デバイスは、徐放基質と、周囲組織に対する薬剤の直接的投与のための一種類以上の医薬物質とから成る医薬組成物により被覆される。上記医療デバイスの上記被覆は、上記デバイスの血液接触表面に前駆内皮細胞を捕捉して負傷の部位における内皮を復元するためのペプチド、抗体または小寸分子などの配位子を更に備える。特に、薬剤被覆されたステントは、たとえば、再狭窄を防止もしくは抑制す特に上記薬剤被覆ステントは、バルーン式血管形成処置において使用されて再狭窄を防止もしくは抑制する。【選択図】図１
2009515659.tif 000002
【特許請求の範囲】
【請求項１】
管腔側表面と被覆とを有する植設可能医療デバイスであって、
上記被覆は、
一層以上の非ポリマ性もしくはポリマ性の基質と、
一種類以上の医薬物質と、
上記基質に対して付着された配位子であって、患者の体内への当該医療デバイスの植設の後で該デバイスの上記管腔側表面上に循環前駆細胞を捕捉すべく作用的に構成された配位子とを備える、
植設可能医療デバイス。
【請求項２】
当該医療デバイスは、ステント、血管グラフト、合成グラフト、心臓弁、カテーテル、血管用人工フィルタ、ペースメーカ、ペースメーカ・リード線、除細動器、卵円孔開存（ＰＦＯ）隔膜閉塞デバイス、血管クリップ、血管動脈瘤咬合器、血液透析グラフト、血液透析カテーテル、房室シャント、大動脈瘤グラフト・デバイスもしくは構成要素、静脈弁、センサ、縫合糸、血管吻合クリップ、留置式の静脈もしくは動脈カテーテル、血管鞘体、および、薬剤供与ポートである、請求項１記載の植設可能医療デバイス。
【請求項３】
前記非ポリマ性基質はナノ粒子から成る孔質材料で形成される、請求項１記載の植設可能医療デバイス。
【請求項４】
前記ナノ粒子は金属または金属合金で作成される、請求項３記載の植設可能医療デバイス。
【請求項５】
前記配位子は、抗体、抗体断片もしくはそれらの組み合わせ、蛋白質、ペプチド、および、小寸分子から成る群から選択される、請求項１記載の植設可能医療デバイス。
【請求項６】
前記配位子は、ＣＤ１３３、ＣＤ４５、ＣＤ３４、ＣＤ３１、ＣＤ１４、ＣＤｗ９０、ＣＤ１１７、ＶＥＧＦＲ−１、ＶＥＧＦＲ−２、Ｍｕｃ−１８（ＣＤ１４６）、ＣＤ１３０、幹細胞抗原（Ｓｃａ−１）、幹細胞因子１（ＳＣＦ／ｃ−Ｋｉｔ配位子）、Ｔｉｅ−２、ＭＨＣ  Ｈ−２ＫｋおよびＨＬＡ−ＤＲから成る群から選択された抗原または細胞膜分子に対して特異性を有すると共にそれに対して結合する、請求項１記載の植設可能医療デバイス。
【請求項７】
前記非ポリマ性基質は直径が約５ｎｍ〜約５μｍの孔性開口を形成するナノ粒子で形成され、且つ、前記配位子は抗体、抗体断片またはそれらの組み合わせである、請求項１記載の植設可能医療デバイス。
【請求項８】
前記抗体または抗体断片は抗ＣＤ３４または抗ＣＤ１３３である、請求項７記載の植設可能医療デバイス。
【請求項９】
前記一種類以上の医薬物質は、血管拡張剤、抗生物質／抗菌薬、増殖抑制因子作用物質、抗新生物剤、抗酸化剤、内皮細胞成長因子、平滑筋細胞成長および／または移動抑制因子、トロンビン抑制因子、免疫抑制作用物質、抗血小板凝集作用物質、コラーゲン合成抑制因子、治療用抗体、窒素酸化物供与体、アンチセンス・オリゴヌクレオチド、創傷治療剤、治療用遺伝子導入構造、ペプチド、蛋白質、細胞外基質成分、血栓溶解剤、代謝拮抗物質、成長因子作用薬、抗有糸分裂剤、ステロイド、ステロイド系抗炎症剤、ケモカイン、増殖因子起動受容体アルファ作用薬、増殖因子起動受容体デルタ作用薬、増殖因子起動受容体ガンマ作用薬、非ステロイド系抗炎症剤、アンギオテンシン転換酵素（ＡＣＥ）抑制因子、遊離基捕捉剤、ＣＸ３ＣＲ１受容体の抑制因子、および、抗ガン化学治療物質から成る群から選択される、請求項１記載の植設可能医療デバイス。
【請求項１０】
前記一種類以上の医薬物質は、ペルオキシソーム増殖因子起動受容体アルファ作用薬、ペルオキシソーム増殖因子起動受容体デルタ作用薬、ペルオキシソーム増殖因子起動受容体ガンマ作用薬、カルシトニン遺伝子関連ペプチド（α−ＣＧＲＰ）、モノサイト化学誘引蛋白質−１、アデノシン、プロスタサイクリン、タヒキニン、シアロキニン、ネウロキニン、アロマターゼ抑制因子、プラスミノゲン活性化因子、エリトロポイエチン、ダルベポエチン、セリンプロテイナーゼ−１（ＳＥＲＰ−１）およびメタロプロテイナーゼから成る群から選択される、請求項１記載の植設可能医療デバイス。
【請求項１１】
前記血管拡張剤は組成物の約１〜約９９％（ｗ／ｗ）から成る、請求項７記載の植設可能医療デバイス。
【請求項１２】
当該医療デバイス上の前記被覆は一種類以上の血管拡張剤を備える複数の層から成る、請求項７記載の植設可能医療デバイス。
【請求項１３】
前記被覆は、エラスチン、トロポエラスチン、架橋トロポエラスチンもしくはそれらの組み合わせを備える一層以上のポリマ基質と、一種類以上の医薬物質と、上記基質に対して付着された配位子であって、生体内にて該デバイスの上記管腔側表面上に循環前駆細胞を結合すべく構成された配位子と、一種類以上の医薬的に容認可能な担体とを備える、請求項１記載の植設可能医療デバイス。
【請求項１４】
前記循環前駆細胞は、生体内において前記配位子に対して結合する細胞表面分子を有すべく遺伝子的に改変された細胞であって、一種類以上の医薬物質によりＤＮＡもしくはＲＮＡ構成から発現され且つコード化された細胞である、請求項１記載の植設可能医療デバイス。
【請求項１５】
前記ＤＮＡもしくはＲＮＡ構成は、前立腺特異的蛋白質および血管内皮成長因子をコード化する、請求項１４記載の植設可能医療デバイス。
【請求項１６】
前記被覆は、前記医薬物質を備える前記一層以上のポリマ基質の間におけるひとつ以上の障壁層を更に備えて成る、請求項１３記載の植設可能医療デバイス。
【請求項１７】
前記障壁層は生分解可能および／または生体吸収可能な物質から成る、請求項１６記載の植設可能医療デバイス。
【請求項１８】
前記生分解可能物質は、ポリエステル、ポリカルボン酸、ポリ無水物、ポリオルソエステル、ポリアミノ酸、ポリエチレンオキシド、ポリホスファゼン、ポリ乳酸、ポリグリコール酸、ポリジオキサノン、フマル酸ポリプロピレン、ポリデプシペプチド、ポリカプロラクトン、ポリ（Ｄ，Ｌ−ラクチド−ｃｏ−カプロラクトン）、ポリ−ポリカプロラクトン−ｃｏ−ブチルアクリレート、ポリヒドロキシ酪酸吉草酸塩、ポリカーボネート、リン酸カルシウム、ポリグリコサミノグリカン、蛋白質、および、ポリペプチドから成る群から選択された適切な生分解可能ポリマである、請求項１７記載の植設可能医療デバイス。
【請求項１９】
前記ポリエステルポリマは、ＰＬＡ、ＰＧＡ、ＰＬＧＡ、ＰＰＦ、ＰＣＬ、ＰＣＣ、ＴＭＣおよび／またはそれらの共重合体である、請求項１８記載の植設可能医療デバイス。
【請求項２０】
前記ポリ無水物はマレイン酸無水物ポリマから成る、請求項１８記載の植設可能医療デバイス。
【請求項２１】
前記ポリカーボネートは、チロシン由来のポリカーボネートおよび／またはアリール化物、ポリイミノ炭酸塩、および、ポリジメチルトリメチル−炭酸塩またはシアノアクリル酸塩である、請求項１８記載の植設可能医療デバイス。
【請求項２２】
前記多糖類は、ヒアルロン酸、セルロース、ヒドロキシプロピルメチル・セルロース、ゼラチン、澱粉、デキストラン、アルギン酸塩およびその誘導体から成る群から選択された一種類以上の多糖類である、請求項１８記載の植設可能医療デバイス。
【請求項２３】
前記ポリラクチドおよびポリグリコール酸の共重合体は、ポリ（Ｌ−乳酸）（ＰＬＬＡ）、ポリ（Ｄ，Ｌ，−ラクチド）、ポリ（乳酸−ｃｏ−グリコール酸）、および、５０／５０（ＤＬ−ラクチド−ｃｏ−グリコリド）から成る群から選択される、請求項１８記載の植設可能医療デバイス。
【請求項２４】
前記生分解可能ポリマは、ポリヒドロキシ酪酸およびその共重合体、ポリカプロラクトン、結晶質および非晶質のポリ無水物、マレイン酸無水物共重合体、および、リン酸亜鉛カルシウムから成る群から選択された表面侵食可能ポリマである、請求項１７記載の植設可能医療デバイス。
【請求項２５】
血管疾患の治療において使用される、請求項１記載の植設可能医療デバイス。
【請求項２６】
血管疾患の治療において使用される、請求項１記載の植設可能医療デバイス。
【請求項２７】
再狭窄の治療において使用される、請求項１記載の植設可能医療デバイス。
【発明の詳細な説明】
【技術分野】
【０００１】
関連出願に関する相互参照
本出願は、２００５年１１月１５日に出願された米国仮出願第６０／７３６，９２０号、２００６年８月１５日に出願された米国仮出願第６０／８２２，４５１号、２００６年８月１５日に出願された米国仮出願第６０／８２２，４６５号、および、２００６年８月１５日に出願された米国仮出願第６０／８２２，４７１号の特典を主張する。これらの全ての出願の開示内容は、言及したことにより全体的に本明細書中に援用される。
発明の背景
本発明は、身体内の血管または管腔的構造内への植設のための医療デバイスに関する。より詳細には本発明は、周囲組織に対する直接的投与のための薬剤物質もしくは薬剤を備えた医薬組成物を備える徐放基質と、生体内で目標細胞を捕捉する配位子とを備えた被覆を備えたステントおよび合成グラフトに関する。上記被覆における医薬組成物は、たとえば、平滑筋細胞の移動および増殖を抑制し、且つ／又は、再狭窄、アテローム性動脈硬化症および内腔内再構築治療の如き疾患の治療において積極的な血管再構成を刺激および維持するという、特定の細胞もしくは組織に関して類似のもしくは異なる効果を有する一種類以上の薬剤を備え得る。
【０００２】
アテローム性動脈硬化症は、世界における死亡および障害の主要要因である。アテローム性動脈硬化症は動脈の管腔側表面（ｌｕｍｉｎａｌ  ｓｕｒｆａｃｅ）上における脂肪プラークの析出を伴う。動脈の管腔側表面上に脂肪プラークが析出すると、動脈の断面積の狭幅化が引き起こされる。最終的に、この析出物は、病巣の遠位側における血液流を遮断し、動脈により供給が行われる組織に対する虚血性損傷を引き起こす。
【０００３】
冠状動脈は、心臓に対して血液を供給する。冠状動脈のアテローム性動脈硬化症（ＣＡＤ）は、米国において１，１００万人以上に影響する最も一般的で深刻かつ慢性的な、命に関わる病気である。冠状動脈のアテローム性動脈硬化症による社会的および経済的な損失は、他の殆どの疾患による損失を大きく上回る。冠状動脈内腔が狭幅化すると心筋が影響され、先ず狭心症となり、次に心筋硬塞となり、最後に死亡する結果となる。米国では毎年、１５０万人超が心筋硬塞にかかる。これらの患者の内、６０万人（すなわち４０％）は急性の心筋硬塞にかかり、且つ、これらの患者の内の３０万人以上が病院に行く前に死亡している（非特許文献１）。
【０００４】
ＣＡＤは、経皮的かつ経管腔的な冠状動脈のバルーン式血管形成術（ＰＴＣＡ）を用いて治療され得る。米国では毎年、４００，０００件を超えるＰＴＣＡ処置が実施されている。ＰＴＣＡにおいては、バルーン・カテーテルが末梢動脈内に挿入されると共に、閉塞された冠状動脈内へと動脈系を通して挿通される。次にバルーンが膨張され、動脈が拡張され、かつ、障害物となる脂肪プラークが平坦化されることから、冒された動脈を通る血液の断面積流が増大される。しかし上記治療は通常は、冒された冠状動脈の持続的な開成には帰着しない。ＰＴＣＡにより治療された患者の５０％もが、冠状動脈の再狭幅化を矯正するために６ヶ月以内に反復処置を必要とする。ＰＴＣＡによる治療の後における動脈のこの再狭幅化は医学的には、再狭窄と称される。
【０００５】
再狭窄は血管の反動および収縮を伴い得る。引き続き、血管の反動および収縮には、ＰＴＣＡによる動脈の損傷に応じた中央平滑筋細胞の増殖が追随することにより、血管の内側腔の直径を狭幅化することで、損傷部の遠位における血液流が減少される。血管の損傷に応じて中膜における平滑筋細胞および外膜層の繊維芽細胞は表現型変化を蒙り、周囲基質内への金属プロテアーゼの分泌、管腔移動、増殖、および、蛋白質分泌に帰着する。損傷領域には、トロンボキサンＡ２、血小板由来成長因子（ＰＤＧＦ）および繊維芽細胞成長因子（ＦＧＦ）などの他の種々の炎症因子も放出される（非特許文献２、非特許文献３）。再狭窄の問題を克服するために、種々の薬理学的作用物質による患者の治療、または、動脈をステントにより機械的に開成保持するなどの多数の異なる技術が使用されてきた（非特許文献１）。平滑筋細胞の増殖を目指した予防治療における初期の試みは、非効率的なことが分かった。効率的であるためには、再狭窄プロセスにおける早期事象が目標限定されると共に、引き続く手法は遺伝子的治療を用いた細胞調節経路の抑制に焦点を置くべきことが明らかとなっている。残念乍ら、これらの治療のいずれも、再狭窄の防止に対して有望であることは示されなかった。この分子的技術が不首尾であったことから、習用の薬物療法学的手法に再び関心が集まっている。
【０００６】
再狭窄の如き血管の負の再構成を克服すべく用いられる種々の処置の内、ステントが最も有効であると判明した。ステントは典型的に、罹患した血管セグメント内に位置されて正常な血管内腔を再確立する金属製もしくはポリマ製の枠材（ｓｃａｆｆｏｌｄ）である。冒された動脈セグメント内にステントを載置すると、動脈の反動、および、動脈を通る血液流の減少が防止される。ステントはまた、動脈の中央層に沿う該動脈の局部的解離も防止し得る。ＰＴＣＡのみを用いて生成されるよりも大寸の内腔を維持することにより、ステントは再狭窄を３０％も多く減少する。それらの好結果にも関わらず、ステントは再狭窄を完全には排除していない。（１９９８年のスリャプラナタ等による“選択された急性心筋梗塞の患者におけるバルーン式血管形成による冠状動脈ステント設置の無作為比較”。血液循環、第９７巻：２５０２〜２５０２頁［Ｓｕｒｙａｐｒａｎａｔａ  ｅｔ  ａｌ．  １９９８．  Ｒａｎｄｏｍｉｚｅｄ  ｃｏｍｐａｒｉｓｏｎ  ｏｆ  ｃｏｒｏｎａｒｙ  ｓｔｅｎｔｉｎｇ  ｗｉｔｈ  ｂａｌｌｏｏｎ  ａｎｇｉｏｐｌａｓｔｙ  ｉｎ  ｓｅｌｅｃｔｅｄ  ｐａｔｉｅｎｔｓ  ｗｉｔｈ  ａｃｕｔｅ  ｍｙｏｃａｒｄｉａｌ  ｉｎｆａｒｃｔｉｏｎ．  Ｃｉｒｃｕｌａｔｉｏｎ  ９７：２５０２−２５０２］）
【０００７】
動脈の狭幅化は、冠状動脈以外に、頚動脈、大動脈回腸動脈、鼠径下部（ｉｎｆｒａｉｎｇｕｉｎａｌ）動脈、末梢大腿深動脈、末梢膝窩動脈、脛骨動脈、鎖骨下動脈および腸間膜動脈などの血管でも生じ得る。末梢動脈アテローム性動脈硬化症疾患（ＰＡＤ）の有症率は、冒された特定の解剖学的部位、ならびに、閉塞の診断に対して使用される判断基準に依存する。習用的に医師は、ＰＡＤが存在するか否かを決定するために、間欠跛行（かんけつはこう）の試験を用いてきた。しかしこの手段は、個体群における実際の発生率を大幅に過小評価し得る。ＰＡＤの割合は年齢により変化し、高齢者においてＰＡＤの発生率は高いと思われる。これに加え、ＰＡＤである患者においては脳血管障害の有症率が増大している。
【０００８】
ＰＡＤは、経皮的かつ経管腔的なバルーン式血管形成術（ＰＴＡ）を用いて治療され得る。ＰＴＡに関してステントを用いると、再狭窄の発生率は低下する。しかし、ステントなどの医療デバイスにより得られた術後結果は、標準的な手術による血管再生処置、すなわち静脈または人工バイパス材料を使用する処置を用いて得られた結果に匹敵しない。（ニューヨーク、マックグローヒル医療従事者部門、１９９９年、第７版、シュワルツ等編、手術の原理、第２０章、動脈疾患［Ｐｒｉｎｃｉｐｌｅｓ  ｏｆ  Ｓｕｒｇｅｒｙ，  Ｓｃｈｗａｒｔｚ  ｅｔ  ａｌ．  ｅｄｓ．，  Ｃｈａｐｔｅｒ  ２０，  Ａｒｔｅｒｉａｌ  Ｄｉｓｅａｓｅ，  ７ｔｈ  Ｅｄｉｔｉｏｎ，  ＭｃＧｒａｗ−Ｈｉｌｌ  Ｈｅａｌｔｈ  Ｐｒｏｆｅｓｓｉｏｎｓ  Ｄｉｖｉｓｉｏｎ，  Ｎｅｗ  Ｙｏｒｋ  １９９９］）
【０００９】
好適にはＰＡＤは、閉塞された動脈の区画がグラフトを用いてバイパスされるというバイパス処置を用いて治療される。（ニューヨーク、マックグローヒル医療従事者部門、１９９９年、第７版、シュワルツ等編、手術の原理、第２０章、動脈疾患。）グラフトは、伏在静脈などの自己由来の静脈セグメント、または、ポリエステル、ポリテトラフルオロエチレン（ＰＴＦＥ）、または、発泡ポリテトラフルオロエチレン（ｅＰＴＦＥ）などで作成された合成グラフトから成り得る。術後の開存率は、バイパス・グラフトの管腔的寸法、グラフトに対して用いられた合成材料の種類、および、流出の部位などの多数の異なる要因に依存する。しかし、再狭窄および血栓症は、バイパス・グラフトを使用してさえも、依然として相当な問題である。たとえば、ｅＰＴＦＥバイパス・グラフトを用いた３年後の鼠径下部バイパス処置の開存性は、大腿骨／膝窩バイパスでは５４％であり、かつ、大腿骨／脛骨バイパスでは僅かに１２％である。故に、ＣＡＤおよびＰＡＤの罹病率および死亡率を更に減少すべく、ステントおよび合成バイパス・グラフトの両方の性能を改良するという相当な要望が在る。
【００１０】
ステントに依ると上記手法は、血栓症および再狭窄を減少するために種々の血栓症防止作用物質または再狭窄防止作用物質で該ステントを被覆するものとされてきた。たとえば、ステントを放射性物質で含浸すると、筋線維芽細胞の移動および増殖を抑制することにより再狭窄が抑制されると思われる。（特許文献１、特許文献２、特許文献３。）しかし、治療される血管に照射を行うと、医師および患者に対して安全性の問題が生じ得る。これに加えて照射は、冒された血管の均一な治療を許容するものでない。
【００１１】
代替的にステントは、両者とも血栓症および再狭窄を低減すると思われるヘパリンまたはホスホリルコリンなどの化学物質でも被覆されてきた。ヘパリンおよびホスホリルコリンは動物モデルにおいて短期では再狭窄を顕著に低減すると思われるが、これらの作用物質による治療は再狭窄を防止する長期的効果は有さないと思われる。これに加え、ヘパリンは血小板減少症を伴うことから、脳卒中などの深刻な血栓塞栓症の合併症に繋がり得る。故に、この様な再狭窄の治療を実用的とするためにヘパリンまたはホスホリルコリンのいずれかを十分に治療的に有効な量でステントに装填することは実現可能ではない。
【００１２】
術後の再狭窄および血栓症を低減するために、合成グラフトは種々の様式で処理されてきた。（ボス等の“小径の血管グラフト・プロテーゼ：現況”、物理生化学文書、１９９８年、第１０６巻、１００−１１５頁［Ｂｏｓ  ｅｔ  ａｌ．  １９９８．  Ｓｍａｌｌ−Ｄｉａｍｅｔｅｒ  Ｖａｓｃｕｌａｒ  Ｇｒａｆｔ  Ｐｒｏｓｔｈｅｓｅｓ：  Ｃｕｒｒｅｎｔ  Ｓｔａｔｕｓ  Ａｒｃｈｉｖｅｓ  Ｐｈｙｓｉｏ．  Ｂｉｏｃｈｅｍ．  １０６：１００−１１５］。）たとえば、ｅＰＴＦＥグラフトと比較してメッシュ形状のポリカーボネート・ウレタンなどのポリウレタンの複合材料は再狭窄を低減すると報告されている。上記グラフトの表面は、ｅＰＴＦＥグラフトに対してポリテレフタレートを添加するために高周波グロー放電を用いて改変されてもいる。合成グラフトは、コラーゲンなどの生体分子に含浸されてもいる。
【００１３】
動脈壁は堅固な管ではなく、血行力学的、機械的および生化学的な刺激に応じて再構成し得る器官である。血管は、該血管が下流へと供給を行う器官に対する増大流に対処するために拡大することは知られている。このプロセスの一例は、自然成長の間における、または、心臓の左心室肥大における冠状動脈血管の拡大である。この現象における関心は、血管の径方向の拡大（外方または積極的な再構成）はアテローム硬化性プラークの漸進的成長を補償し得ることから、流れを制限する狭窄の進展を順延するはずであるという組織学的な観測により刺激された（アームストロング等、“アテローム性動脈硬化症”、第５巻、第３３６〜３４６頁、１９８５年［Ａｒｍｓｔｒｏｎｇ  ｅｔ  ａｌ．  Ａｒｔｅｒｉｏｓｃｌｅｒｏｓｉｓ  ５：３３６−３４６，  １９８５］、および、グラゴフ等［Ｇｌａｇｏｖ  ｅｔ  ａｌ．］、Ｎ．  Ｅｎｇ．  Ｊ．  Ｍｅｄ．  ３１６：１３７１−７５，１９８７）。これらの薬理学的発見は引き続き、アテロームの存在下では外方への再構成が至る所で起こること、および、斯かる外方再構成が相当の大きさのプラークを血管造影検出から如何に隠し得るかを明らかとする生体内での血管内超音波（ＩＶＵＳ）研究により支持された（ハーミラー等、米国雑誌、“心臓学”、第７１巻、第６６５〜６６８頁、１９９３年［Ｈｅｒｍｉｌｌｅｒ  ｅｔ  ａｌ．  Ａｍ．  Ｊ．  Ｃａｒｄｉｏｌ．  ７１：６６５−６６８，  １９９３］、および、アルフォンセ等、米国雑誌、“心臓”、第１２７巻、第５３６〜５４４頁、１９９４年［Ａｌｆｏｎｓｏ  ｅｔ  ａｌ．  Ａｍ．  Ｈｅａｒｔ  Ｊ．  １２７：  ５３６−５４４，１９９４］）。
【００１４】
殆どのアテローム硬化性セグメントは一定の補償的拡大を呈するが、内腔サイズを完全に維持することは多くの場合に不適切であると共に、一定の血管は病巣部位において逆説的に収縮し、内腔喪失に対する補償を寧ろ悪化させることもある（ニシオカ等、米国心臓学大学の定期刊行物、第２７号、第１５７１〜１５７６頁、１９９６年［Ｎｉｓｈｉｏｋａ  ｅｔ  ａｌ．  Ｊ．  Ａｍ．  Ｃｏｌｌ．  Ｃａｒｄｉｏｌ．  ２７：１５７１−１  ５７６，  １９９６］、および、パスターカンプ等の“血液循環”、第９１号、第１４４４〜１４４０９頁［Ｐａｓｔｅｒｋａｍｐ  ｅｔ  ａｌ．  Ｃｉｒｃｕｌａｔｉｏｎ  ９１：１４４４−１４４９］）。この種の狭窄的再構成は、冠状動脈における原因病巣の２４％〜４２％において生ずると報告されている（シュミッツ等、“心臓”、第８２巻、第４６１〜４６４頁、１９９９年［Ｓｍｉｔｓ  ｅｔ  ａｌ．  Ｈｅａｒｔ  ８２：  ４６１−４６４，  １９９９］、および、フォン・ビルゲルン等、米国心臓学大学の定期刊行物、第３７号、第１８６４〜１８７０頁、２００１年［ｖｏｎ  Ｂｉｒｇｅｌｅｎ  ｅｔ  ａｌ．  Ｊ．  Ａｍ．  Ｃｏｌｌ．  Ｃａｒｄｉｏｌ．  ３７：１８６４−１８７０，  ２００１］）。負の再構成の臨床的な重要さは、管腔狭窄は、プラークのサイズよりも、再構成の方向および規模に更に密接に相関するという観察により強調されている（パスターカンプ等の“血液循環”、第９１号、第１４４４〜１４４０９頁［Ｐａｓｔｅｒｋａｍｐ  ｅｔ  ａｌ．  Ｃｉｒｃｕｌａｔｉｏｎ  ９１：１４４４−１４４９］、および、パスターカンプ等、“動脈硬化／血栓症／血管／生物学”、第１７巻、第３０５７〜３０６３頁、１９９７年［Ｐａｓｔｅｒｋａｍｐ  ｅｔ  ａｌ．  Ａｒｔｅｒｉｏｓｃｌ．  Ｔｈｒｏｍｂ．  Ｖａｓｃ．  Ｂｉｏｌ．  １７：３０５７−３０６３，  １９９７］）。
【００１５】
正常な動脈において再構成は、流れおよび円周方向の緊張延伸の変化に対する恒常的応答であって、正常な剪断応力および壁部張力を回復するという恒常的な応答である（ランギル、カナダ雑誌、“生理学／薬理学”、第７４巻、第８３４〜８４１頁、１９９６年［Ｌａｎｇｉｌｌｅ  Ｃａｎ．  Ｊ．  Ｐｈｙｓｉｏｌ．  Ｐｈａｒｍａｃｏｌ．  ７４：  ８３４−８４１，  １９９６］）。管動脈を通る大きな流れ要求は外方への再構成を誘起する。これはトロンク等［Ｔｒｏｎｃ  ｅｔ  ａｌ．］の研究（“動脈硬化／血栓症／血管／生物学”、第１６巻、第１２５６〜１２６２頁、１９９６年［Ａｒｔｅｒｉｏｓｃｉｅｒ．  Ｔｈｒｏｍｂ．  Ｖａｓｔ．  Ｂｉｏｌ．  １６：  １２５６−１２６２，  １９９６］に示され、その場合、一般的な頚動脈を通る血液流が、動脈／静脈（ａ−ｖ）シャントを用いて外科的に上昇された。アテローム硬化性の猿からの冠状動脈における大きな流れに応じて外方再構成が生ずることも示されている（クラマシュ等、ニューイングランド雑誌、“医学”、第３０５巻、第１４８３〜１４８９頁、１９８１年［Ｋｒａｍｓｃｈ  ｅｔ  ａｌ．  Ｎ．  Ｅｎｇｉ．  Ｊ．  Ｍｅｄ．  ３０５：  １４８３−１４８９，  １９８１］）。
【００１６】
大きな流れに応じた外方再構成は、剪断に応答する内皮の窒素酸化物および基質メタロプロテイナーゼの生成に大きく依存すると思われる（ＭＭＰ：既出のトロンク等、および、アブルゼセ等、“手術”、第１２４巻、第３２８〜３３４頁、１９９８年［Ａｂｂｒｕｚｚｅｓｅ  ｅｔ  ａｌ．  Ｓｕｒｇｅｒｙ  １２４：  ３２８−３３４，１９９８］）。再構成に関する緊張延伸の効果は明確でない。剪断感応的な再構成の仲介物質の殆どもまた緊張延伸に応答すると共に、緊張延伸信号と剪断信号との間の相当な相互作用が存在すると思われる（レホー等、“高血圧”、第３２巻、第３３８〜３４５頁、１９９８年［Ｌｅｈｏｕｘ  ｅｔ  ａｌ．  Ｈｙｐｅｒｔｅｎｓｉｏｎ  ３２：３３８−  ３４５，  １９９８］）。安静時の血管サイズに対しては血管の弾性が主たる決定要素であると思われ、且つ、最近のデータは、疾患動脈セグメントにおける細胞によるエラスチンの変異生成も再構成には含まれ得るということを示唆している（ディ・ステファーノ等、雑誌“血管研究”、第３５巻、第１〜７頁、１９９８年（［Ｄｉ  Ｓｔｅｆａｎｏ  ｅｔ  ａｌ．  Ｊ．  Ｖａｓｃ．  Ｒｅｓ．  ３５：  １−７，  １９９８］）
【００１７】
動物および人間の研究からのデータによれば、負の再構成および再狭窄は少量の流れにより強調され得ることが示される（クラム等、“心室間／心臓学”研究会、第３巻、第３９〜４４頁、１９９８年Ｋｒａｍｓ  ｅｔ  ａｌ．  Ｓｅｍｉｎ．  ｌｎｔｅｒｖｅｎｔ．  Ｃａｒｄｉｏｌ．  ３：  ３９−４４，  １９９８］、および、サールイス等、“血液循環”、第９６巻、第３３６９〜３３７７頁、１９９７年［Ｓｅｒｒｕｙｓ  ｅｔ  ａｌ．  Ｃｉｒｃｕｌａｔｉｏｎ  ９６：  ３３６９−３３７７］）。少量の流れの状態において、血小板由来成長因子および形質転換成長因子βの如き細胞分裂促進性およびフィブリノゲン的な成長因子の強調生成は、平滑筋細胞の増殖とコラーゲンの析出および架橋とを増進することで内方への（負の）再構成を媒介するものと思われるが、メタロプロテイナーゼの誘起は血管構造の再編成を助力する（モンディ等、“血液循環研究”、第８１巻、第３２０〜３２７頁、１９９７年［Ｍｏｎｄｙ  ｅｔ  ａｌ．  Ｃｉｒ．  Ｒｅｓ．  ８１：  ３２０−３２７，  １９９７］、および、バシオニー等、“血液循環”、第９８巻、第１５７〜１６３頁、１９９８［Ｂａｓｓｉｏｕｎｙ  ｅｔ  ａｌ．  Ｃｉｒｃｕｌａｔｉｏｎ  ９８：  １５７−１  ６３，  １９９８］）。
【００１８】
心臓のリスク要因の存在は、再構成プロセスに影響する。たとえば、インスリンを使用するよりもインスリンを使用しない糖尿病患者において、且つ、非喫煙者と比較して喫煙者において、不適切な正の再構成および負の再構成は更に一般的である（コモースキ等、米国雑誌、“心臓学”、第８１巻、第１２９８〜１３０４頁、１９９８年［Ｋｏｍｏｗｓｋｉ  ｅｔ  ａｌ．  Ａｍ．  Ｊ．  Ｃａｒｄｉｏｌ．  ８１：１２９８−１３０４，  １９９８］、および、トート等、米国雑誌、“心臓学”、第８０巻ｌ、第１３５２〜１３５５頁、１９９７年［Ｔａｕｈｔ  ｅｔ  ａｌ．  Ａｍ．  Ｊ．  Ｃａｒｄｉｏｌ．  ８０：  １３５２−１３５５，  １９９７］）。逆説的に、高コレステロール血症である患者において、負の再構成は更に少ない（既出のトート等）。
【００１９】
心臓の移植後におけるグラフトの障害および死亡の最も一般的な原因である移植血管症は、多くの場合に血管再生に従わない、血管造影による広範的な狭幅化（ｄｉｆｆｕｓｅ  ａｎｇｉｏｇｒａｐｈｉｃ  ｎａｒｒｏｗｉｎｇ）により特徴付けられる。最近、移植された心臓においては漸進的な内膜の厚寸化に加えて負の再構成または不適切な正の再構成が一般的であると共に、内腔喪失に対するその寄与の重要さは、移植からの時間により増加することが明らかとなった（リム等、“血液循環”、第９５巻、第８８５〜８５９頁、１９９７年［Ｌｉｍ  ｅｔ  ａｌ．  Ｃｉｒｕｌａｔｉｏｎ  ９５：  ８８５−８５９，  １９９７］）。広範な内皮療法にも関わらず、血行力学的な刺激に応じた一定の再構成は持続的であると思われる（アレン・オーエルバッハ等、雑誌、“心肺移植”、第１８巻、第２１１〜２１９頁、１９９９年［Ａｌｌｅｎ−Ａｕｅｒｂａｃｈ  ｅｔ  ａｌ．  Ｊ．  Ｈｅａｒｔ  Ｌｕｎｇ  Ｔｒａｎｓｐｌａｎｔ  １８：２１１−２１９，  １９９９］）。成人における動脈発生に対しては、正の再構成も重要である。動脈発生とは、平滑筋細胞が内張りされて成熟した小動脈および動脈の形成を指している。付随的な血管の形成もしくは補充は、動脈発生の一例である。血管新生（既存血管からの管路の発芽）は酸素剥奪もしくは低酸素症により高度に刺激される一方、送給血管を通る血液流が増大することは動脈発生を開始する重要な血行力学的刺激であるという多くの証拠が在る。種々の実験研究によれば、一定のサイトカインの局所的導入による、または、動脈結紮による剪断速度の増大は、動脈発生に対する刺激であることが仮定されている（アラス等、雑誌、“臨床研究”、第１０１巻、第４０〜５０頁、１９９８年［Ａｒｒａｓ  ｅｔ  ａｔ．  Ｊ．  Ｃｌｉｎ．  Ｉｎｖｅｓｔｉ．  １０１：４０−５０，  １９９８］、エギントン等、“心臓血管研究”、第４９巻、第６３４〜６４６頁、２００１年［Ｅｇｇｉｎｔｏｎ  ｅｔ  ａｔ．  Ｃａｒｄ  ｉｏｖａｓｃ．  Ｒｅｓ．  ４９：  ６３４−６４６，  ２００１］、ショルツ等、“フィルヒョー・アーカイブ”、第４３６巻、第２５７〜２７０頁、２０００年［Ｓｃｈｏｌｚ  ｅｔ  ａｌ  Ｖｉｒｃｈｏｗｓ  Ａｒｃｈ．  ４３６：２５７−２７０，  ２０００］、および、ファン・ロイェン等、雑誌、“核形成心臓学”、第８巻、第６８７〜６９３頁、２００１年［Ｖａｎ  Ｒｏｙｅｎ  ｅｔ  ａｔ．  Ｊ．  Ｎｕｃｉ．  Ｃａｒｄｉｏｌ．  ８：  ６８７−６９３，  ２００１］）。
【００２０】
血管を内張りする内皮細胞（ＥＣ）層は、正常な血管壁の重要な構成要素であると共に、血流と、血管壁の周囲組織との間の界面を提供する。内皮細胞はまた、血管新生、炎症、および、血栓症の防止などの生理学的事象にも関与する（ロジャース・ジー・エム、雑誌ＦＡＳＥＢ、１９８８年、第２巻、１１６−１２３頁［Ｒｏｄｇｅｒｓ  ＧＭ．  ＦＡＳＥＢ  Ｊ  １９８８；２：１１６−１２３］）。血管系を構成する内皮細胞に加え、最近の研究では、出生後にＥＣおよび前駆内皮細胞が末梢血内で循環することが分かった（アサハラ等、サイエンス、１９９７年、第２７５巻、９６４〜７頁［（Ａｓａｈａｒａ  Ｔ，  ｅｔ  ａｌ．  Ｓｃｉｅｎｃｅ  １９９７：２７５：９６４−７］；イン・アー等、血液、１９９７年、第９０巻、５００２〜５０１２頁［Ｙｉｎ  ＡＨ，  ｅｔ  ａｌ．  Ｂｌｏｏｄ  １９９７；９０：５００２−５０１２］；シー・キュー等、血液、１９９８年、第３６２巻、３６２〜３６７頁［Ｓｈｉ  Ｑ，  ｅｔ  ａｌ．  Ｂｌｏｏｄ  １９９８：９２：３６２−３６７］；ゲーリング・ユーエム等、血液、２０００年、第９５巻、３１０６〜３１１２頁［Ｇｅｈｌｉｎｇ  ＵＭ，  ｅｔ  ａｌ．  Ｂｌｏｏｄ  ２０００：９５：３１０６−３１１２］；リン・ワイ等、雑誌“臨床研究”、２０００年、第１０５巻、７１〜７７頁［Ｌｉｎ  Ｙ，  ｅｔ  ａｌ．  Ｊ  Ｃｌｉｎ  Ｉｎｖｅｓｔ  ２０００：１０５：７１−７７］）。前駆内皮細胞は、外傷および虚血性の損傷の部位を含め、損傷された内皮層を有する循環系の領域を移動すると確信される（テイー・タカニシ等、自然薬品、１９９９年、第５巻、４３４〜４３８頁［Ｔａｋａｈａｓｈｉ  Ｔ，  ｅｔ  ａｌ．  Ｎａｔ  Ｍｅｄ  １９９９；５：４３４−４３８］）。正常な成人において末梢血の前駆内皮細胞の濃度は３〜１０細胞／ｍｍ３である（テイー・タカニシ等、自然薬品、１９９９年、第５巻、４３４〜４３８頁；カルカ・シー等、胸部手術年報、２０００年、第７０巻、８２９〜８３４頁［Ｋａｌｋａ  Ｃ，  ｅｔ  ａｌ．  Ａｎｎ  Ｔｈｏｒａｃ  Ｓｕｒｇ．  ２０００：７０：８２９−８３４］）。今や、損傷に対する血管応答の各段階は（制御されなければ）内皮により影響されることは明らかである。損傷されると共にステント設置された血管セグメント上に機能的内皮層を迅速に再確立すれば、循環するサイトカインに対する障壁を提供することにより血栓の悪影響を防止すると共に、内皮細胞の能力により下側に位置する平滑筋細胞層を不動態化する物質を生成することで、これらの可能的に深刻な合併症の防止が助力され得ると確信される。（ヴァン・ベル等、１９９７年、ステント内皮化、血液循環、第９５巻、４３８〜４４８頁［Ｖａｎ  Ｂｅｌｌｅ  ｅｔ  ａｌ．  １９９７．  Ｓｔｅｎｔ  Ｅｎｄｏｔｈｅｌｉａｌｉｚａｔｉｏｎ．  Ｃｉｒｃｕｌａｔｉｏｎ  ９５：４３８−４４８］；ボス等の“小径の血管グラフト・プロテーゼ：現況”、物理生化学文書、１９９８年、第１０６巻、１００−１１５頁。）
【００２１】
内皮細胞は、ステントの植設の後で血管内皮成長因子（ＶＥＧＦ）すなわち内皮細胞分裂促進因子の局部的な供与により、ステントの表面上に成長することが奨励されてきた（ヴァン・ベル等、１９９７年、ステント内皮化、血液循環、第９５巻、４３８〜４４８頁）。塩水溶液内における組換え蛋白質成長因子すなわちＶＥＧＦを負傷の部位にて付与すると望ましい効果が誘発されるが、ＶＥＧＦはステント植設の後でチャネル式バルーン・カテーテルを用いて損傷の部位に対して供与される。この技術は望ましくない、と言うのも、単一回分の供与の効率は低く、一貫しない結果を生み出すことが例証されたからである。故に、この処置は毎回正確には再現され得ない。
【００２２】
内皮細胞と共に合成グラフトも播種されたが、おそらくは、細胞がグラフトに対して適切には付着せず且つ／又は生体外操作による該細胞のＥＣ機能の喪失により、内皮播種による臨床結果は概略的に不十分、すなわち、術後の開存率が低いものであった（リオ等、１９９８年、微小血管グラフト設置における新たな概念および材料；人工グラフト内皮細胞播種および遺伝子治療、顕微手術、第１８巻、２６３〜２５６頁［Ｌｉｏ  ｅｔ  ａｌ．  １９９８．  Ｎｅｗ  ｃｏｎｃｅｐｔｓ  ａｎｄ  Ｍａｔｅｒｉａｌｓ  ｉｎ  Ｍｉｃｒｏｖａｓｃｕｌａｒ  Ｇｒａｆｔｉｎｇ：  Ｐｒｏｓｔｈｅｔｉｃ  Ｇｒａｆｔ  Ｅｎｄｏｔｈｅｌｉａｌ  Ｃｅｌｌ  Ｓｅｅｄｉｎｇ  ａｎｄ  Ｇｅｎｅ  Ｔｈｅｒａｐｙ．  Ｍｉｃｒｏｓｕｒｇｅｒｙ  １８：２６３−２５６］）。
【００２３】
故に、血管負傷の部位における内皮細胞の付着、成長および分化を調節する上では、原位置での内皮細胞成長因子および周囲条件が本質的である。従って、再狭窄および他の血管疾患に関し、目標血管セグメントまたはグラフト設置された内腔上に融合性のＥＣ単層が形成されることで新内膜過形成が抑制される様に、植設されたデバイスの表面上における機能的内皮の形成を促進および加速するという新規な方法、ならびに、ステントおよび合成グラフトなどの医療デバイスを被覆する組成物に対する要望が在る。
【００２４】
再狭窄の如き疾患を防止するための薬剤の全身的投与は、疾患の性質と、使用される薬剤の特性であって例えば薬剤の溶解度、薬剤の生体内での安定性、薬剤の生物学的利用能などの特性との故に、有効ではなかった。全身的投与時に薬剤は、正常組織を含む身体領域まで循環血液により搬送されて分散される。疾患部位において薬剤濃度は最初は低いが多くの場合に毒性レベルまで増加する一方、非疾患領域においては上記薬剤の存在により不都合な副作用が引き起こされる。一定の場合、投与の後で薬剤は、目標部位に到達する前に、容易に代謝分解され得る。故に、薬理学的効力を達成すると共に持続時間を延長すべく多くの場合に薬剤の回分量は増大され、正常組織に対する全身的負担ならびに患者に対するコスト問題が引き起こされる。他の場合、一定の強力な薬剤の治療可能性は、該薬剤の毒性的な副作用の故に満足され得ない。
【００２５】
薬剤溶出ステント（ＤＥＳ）などの局所的薬剤供与搬送体が開発されている。特許文献４、特許文献５および特許文献６を参照されたい。しかし先行技術の薬剤溶出ステントは、薬剤の種類、放出されるべき薬剤の量、および、薬剤を放出するために必要とされる時間長などの多くの要因により制限される。薬剤溶出ステントに関して考慮される必要がある他の要因は、ポリマ基質などの他のステント被覆成分に対する薬剤相互作用、および、疎水性、分子量、殺菌後の非分解性および活性、ならびに、薬剤供与の効力および使用薬剤の毒性などの個々の薬剤特性である。薬剤溶出ステントのポリマ基質に関しては、ポリマ種類、ポリマ比率、薬剤積荷能力、および、ポリマの生体適合性、ならびに、薬剤の薬理学的反応速度などの薬剤／ポリマ適合性を考慮せねばならない。
【００２６】
更に、薬剤溶出ステントにおける薬剤回分量は事前装填されると共に、個々の状態および必要性に関する薬剤回分量の調節は正確には達成され得ない。また薬剤放出時間に関し、薬剤溶出ステントは植設すると同時に薬剤の放出を即時的に開始し、理想的なリアルタイムの放出は達成され得ない。
【００２７】
米国特許第５，２８８，７１１号、第５，５６３，１４６号、第５，５１６，７８１号および第５，６４６，１６０号は、過増殖性血管疾患を、ラパマイシン単独で、または、ミコフェノール酸と組み合わせて治療する方法を開示している。ラパマイシンは患者に対し、経口的、非経口的、血管内的、鼻腔内的、気管支内的、経皮的、直腸的などの種々の方法により与えられる。上記各特許は更に、ラパマイシンは患者に対し、ラパマイシンのみ、または、ヘパリンもしくはミコフェノール酸と組み合わされたラパマイシンが含浸された血管用ステントを介して提供され得ることを開示している。上記各特許の含浸ステントが遭遇する問題のひとつは、組織との接触時に直ちに薬剤が放出され、再狭窄を防止するために必要な期間に亙っては持続しないということである。
【００２８】
欧州特許出願第ＥＰ  ０  ９５０  ３８６号は局部的なラパマイシン供与によるステントを開示しており、その場合にラパマイシンはステント本体における微細孔から直接的に組織に対して供与され、または、ラパマイシンはステント上に適用されたポリマ被覆に対して混合もしくは結合されている。ＥＰ  ０  ９５０  ３８６は更に、上記ポリマ被覆は、ポリメチルシロキサン、ポリ（エチレン−酢酸ビニル）、アクリレート系ポリマまたは共重合体などの純粋に非吸収性のポリマから成ることを開示している。上記ポリマは純粋に非吸収性であることから、薬剤が組織に対して供与された後、上記ポリマは植設の部位に留まり、炎症性反応を刺激し得る。しかし、組織の近傍にて大量に残存する非吸収性ポリマは、それ自体が炎症反応を誘起し、その後に植設部位における再狭窄が反復する。
【００２９】
付加的に、米国特許第５，９９７，５１７号は、アクリル、エポキシ、アセタール、エチレン共重合体、ビニル・ポリマ、および、反応基を含むポリマから成る厚寸の粘着性結合被覆により被覆された医療デバイスを開示している。上記特許に開示された各ポリマもまた非吸収性であり、かつ、ＥＰ  ０  ９５０  ３８６に関して上記で論じられたのと同様に植設可能な医療デバイスにおいて使用されたときに副作用を引き起こし得る。
【００３０】
動脈の周縁部の増大（外方へのまたは正の再構成）は、アテローム硬化性プラークの形成により引き起こされ又は動脈損傷の後における内膜過形成により引き起こされた内腔の侵食を部分的または全体的に補償し得る。しかし、動脈壁はまた狭窄的（負の）再構成を以ても応答することで、内腔狭幅化応答を更に悪化させることもある。動脈サイズおよびプラーク面積の幾何学的変化は、アテローム硬化性疾患における管腔狭幅化に対して等しく寄与し得ることは認識されている。ＣＡＤまたは再狭窄の治療に対する現在の侵襲的戦略は、アテローム硬化性もしくは新内膜の負担の低減に対し又は血管バイパスに対して焦点を合わせると共に、再構成プロセスを無視してきた。多くの場合にこれらの標準的な手法は、疾患プロセスの深刻さまたは程度の故に、可能ではない。而して、冠状動脈血管造影を受ける患者の５〜２０％は、習用の血管再生技術には従わない広範な近位および遠位の冠状動脈疾患を有している。
【特許文献１】米国特許第５，０５９，１６６号
【特許文献２】米国特許第５，１９９，９３９号
【特許文献３】米国特許第５，３０２，１６８号
【特許文献４】米国特許第６，２７３，９１３号
【特許文献５】米国特許第６，２５８，１２１号
【特許文献６】米国特許第６，２３１，６００号
【非特許文献１】ハリソンによる内科の原理［Ｈａｒｒｉｓｏｎ’ｓ  Ｐｒｉｎｃｉｐｌｅｓ  ｏｆ  Ｉｎｔｅｒｎａｌ  Ｍｅｄｉｃｉｎｅ］、第１４版、１９９８年
【非特許文献２】フランキー等、米国雑誌“病理学”、第１４７（５）巻、第１３７２〜８２頁、１９９５年１１月［Ｆｒａｎｃｋｉ  ｅｔ  ａｌ．  Ａｍ．  Ｊ．  Ｐａｔｈｏｌ．  １９９５  Ｎｏｖ．；  １４７（５）：  １３７２−８２］
【非特許文献３】ライネス・イー・ダブリュ、“サイトカイン成長因子循環”、第１５（４）巻、第２３７〜２５４頁、２００４年８月［Ｒａｉｎｅｓ  Ｅ．Ｗ．  Ｃｙｔｏｋｉｎｅ  Ｇｒｏｗｔｈ  Ｆａｃｔｏｒ  Ｒｅｖ．  ２００４  Ａｕｇ；  １５（４）：  ２３７−２５４］
【発明の開示】
【発明が解決しようとする課題】
【００３１】
上記の如く、上述された手法の内のひとつの手法は、長期に亙り血栓症または再狭窄の発生率を相当に減少してきた。更に最近において且つ一定の場合、研究によれば、薬剤溶出ステントならびに（少ない程度の）剥き出しの金属ステントは、それらが数年を超えて患者の体内に植設された後で、致命的な血栓症を伴うことが示された。更に、先行技術の医療デバイスの被覆は、該デバイスの植設時に裂開することが示されている。故に、血管損傷の部位における機能的内皮を再確立する効率的なシステム、ならびに、現在において利用可能な技術の制限を克服する局所的薬剤供与システムを開発することが待ち望まれている。
【課題を解決するための手段】
【００３２】
本発明は、血管の内腔内へ又は内腔を備える器官内へと植設される医療デバイスを提供し、該デバイスは、安全で制御された様式で局所的に治療物質を供与する生体適合システムを提供すると共に、損傷の部位において機能的内皮の形成を付加的に誘起することで、積極的な血管の再構成を刺激する。
【００３３】
上記植設可能医療デバイスは、近傍組織に対する医薬物質の長期のまたは制御された供与のための組成物で作成され得る生体適合性基質を備える被覆を備える。上記医療デバイス上の上記被覆は、本質的に又はその様に刺激されたときに所望の医薬物質を分泌するという例えば天然／通常の又は遺伝子的に改変された目標細胞などの目標細胞を、該デバイスの管腔側表面上に捕捉する一種類以上の配位子を更に備えて成る。たとえば、循環する前駆内皮細胞は目標細胞であり得、該細胞は上記デバイスの管腔側表面すなわち血液接触表面上に捕捉かつ固定化されることで、血管損傷の故に上記デバイスが植設された部位にて機能的内皮の形成を回復、増進または加速する。
【００３４】
一実施例において上記医療デバイスは、患者の体内への導入に適合した構造を有する例えばステント、合成血管グラフトまたはカテーテルから成る。たとえば、上記医療デバイスがステントもしくはグラフトであるという実施例において、該デバイスは、管腔側表面すなわち血液接触表面と、患者の体内へと挿入されたときに近傍組織に接触し得る外側のもしくは管孔の逆側の表面とを有すべく作用的に構成される。
【００３５】
本発明の医療デバイスは、患者の体内に植設可能な任意のデバイスとされ得る。たとえば一実施例において上記デバイスは、血管もしくは中空器官の内腔内に挿入されるステント、ステント・グラフト、心臓弁、カテーテル、血管用人工フィルタ、人工心臓、外部および内部の左心室支援デバイス（ＬＶＡＤ）など、ならびに、癌、および、再狭窄、アテローム性動脈硬化症、血栓症、血管障害などの血管疾患の治療、もしくは、これらのデバイスにより付加的に対処される他の任意の用途に対する合成血管グラフトである。
【００３６】
本発明の上記医療デバイスは内腔を備える器官もしくは身体部分内へと植設される任意のデバイスとされ得ると共に、限定的なものとしてで無く、ステント、ステント・グラフト、合成血管グラフト、心臓弁、カテーテル、血管用人工フィルタ、ペースメーカ、ペースメーカ・リード線、除細動器、卵円孔開存（ＰＦＯ）隔膜閉塞デバイス、血管クリップ、血管動脈瘤咬合器、血液透析グラフト、血液透析カテーテル、房室シャント、大動脈瘤グラフト・デバイスもしくは構成要素、静脈弁、センサ、縫合糸、血管吻合クリップ、留置式の静脈もしくは動脈カテーテル、血管鞘体、および、薬剤供与ポートとされ得る。上記医療デバイスは、該デバイスに依存して多数の材料で作成され得る。たとえば本発明のステントは、ステンレス鋼、ニチノール（ＮｉＴｉ）またはクロム合金および生分解可能物質から作成され得る。合成血管グラフトは、架橋ＰＶＡヒドロゲル、ポリテトラフルオロエチレン（ＰＴＦＥ）、発泡ポリテトラフルオロエチレン（ｅＰＴＦＥ）、孔性高密度ポリエチレン（ＨＤＰＥ）、ポリウレタン、および、ポリエチレン・テレフタレート、または、ポリラクチド・ポリマおよびポリグリコリド・ポリマもしくはそれらの共重合体の如き生分解可能物質から作成され得る。
【００３７】
一実施例において上記医療デバイスは、非毒性、生体適合性、生体侵食性および生分解可能な合成材料を備える基質を備える被覆を備える。上記被覆は、植設の部位の近傍の組織に対して供与される一種類以上の医薬物質もしくは薬剤組成物と、当該医療デバイスの血液接触表面上に前駆内皮細胞を捕捉かつ固定化するペプチド、小寸および／または大寸分子、および／または、抗体、またはそれらの組み合わせの如き一種類以上の配位子とを更に備え得る。
【００３８】
一実施例において上記植設可能医療デバイスはステントから成る。該ステントは、当業界で入手可能な未被覆ステントから選択され得る。一実施例に依れば上記ステントは、その関連開示内容は言及したことにより本明細書中に援用される米国特許出願第０９／０９４，４０２号に記述された管状部材から成る拡開可能な腔内用体内プロテーゼである。別実施例において上記ステントは、生分解可能物質から作成される。
【００３９】
一実施例において上記徐放基質は、生体適合性、生分解可能、生体吸収可能であると共に医薬品の徐放に有用であるという天然もしくは合成ポリマなどの種々の種類および供給源からの一種類以上のポリマおよび／またはオリゴマから成る。たとえば一実施例において、天然のポリマ物質は、コラーゲン、フィブリン、トロポエラスチン、エラスチン、架橋トロポエラスチンなどの蛋白質、および、細胞外基質成分、または、他の生物学的作用物質、または、それらの混合物が挙げられる。本発明のこの実施例において上記天然物質は、プラスミド・ベクタの如きベクタにより担持された外因性遺伝子であってバクテリアの如きホスト内へと導入された外因性遺伝子から、遺伝子工学技術により作成され得る。この実施例においては、トロポエラスチンおよびエラスチンの如き所望のポリマ蛋白質が生成されて、上記基質内での使用のために分離される。代替実施例において、上記天然のポリマ基質は自然の供給源から公知方法により精製され得るか、または、該基質は蛋白質ポリマの化学的合成により獲得され得る。一定の実施例において上記天然物質は、たとえば、蛋白質の如き物質を架橋させることにより、または、メチル化、リン酸化などにより、化学的に改変もしくは合成され得る。別実施例において上記基質は、露出血管または血管枠材および／またはそれらの構成要素から成り得る。
【００４０】
一実施例において上記基質は、ポリ乳酸、ポリグリコール酸などのポリエステルまたはその共重合体および／または組み合わせ、ポリ無水物、ポリカプロカクトン、ポリヒドロキシ酪酸吉草酸塩、および、他の生分解可能ポリマ、または、それらの混合物もしくは共重合体などの上記合成材料から成り得る。この実施例において上記基質は、医療デバイスを被覆するための基質ポリマとしてポリ（ラクチド−ｃｏ−グリコリド）から成る。この実施例において上記ポリ（ラクチド−ｃｏ−グリコリド）組成物は、ポリ−ＤＬ−ｃｏ−グリコリドの少なくとも一種類のポリマもしくは共重合体またはそれらの混合物から成り、且つ、それは組織に対して供与されるべき医薬物質と共に混合される。上記被覆組成物は次に、噴射、浸漬および／または化学蒸発などの標準的技術を用いて上記デバイスの表面に適用される。代替的に、医薬物質の単一もしくは複数の層を分離する単一層として、ポリ（ラクチド−ｃｏ−グリコリド）（ＰＧＬＡ）溶液が塗付され得る。
【００４１】
別実施例において上記被覆組成物は更に、たとえばエチレン酢酸ビニル（ＥＶＡＣ）およびメチルメタクリレート（ＭＭＡ）などの非吸収性ポリマなどの、医薬的に容認可能なポリマおよび／または医薬的に容認可能な担体を備え得る。たとえば上記非吸収性ポリマは、上記組成物の分子量を増大して医薬物質の放出速度を遅延もしくは減速することで上記物質の徐放を更に助力し得る。
【００４２】
一定の実施例において、上記ポリマ材料、または、種々のポリマの混合物は上記医薬物質との組成物として一体的に、上記医療デバイスの表面上に適用され得ると共に、単一層から成り得る。上記被覆を形成すべく複数層の組成物が適用され得る。別実施例においては、上記医薬物質の各層間に、ポリマ材料またはその混合物の複数層が適用され得る。たとえば上記各層は順次的に適用され得ると共に、第１層は上記デバイスの未被覆表面に直接的に接触し、第２層は医薬物質から成ると共に、上記第１層に接触する一方の表面と、周囲組織に接触する第３層のポリマと接触する他方の表面とを有する。必要に応じて、上記ポリマ材料および薬剤組成物の付加的層が加えられることで、各成分またはそれらの成分の混合物を交互配置し得る。
【００４３】
別実施例において上記基質は、たとえば金属合金または他の物質で形成されたナノ粒子の如き非ポリマ材料から成り得る。この実施例において上記医療デバイス上の上記被覆は多孔質であり得ると共に、上記医薬物質は上記粒子内および粒子間に捕捉され得る。この実施例において上記粒子のサイズは、患者の要求内容に依存して、該粒子内に捕捉された医薬物質の放出の速度を制御すべく変更され得る。一実施例において上記医薬組成物は、低速／徐放医薬組成物とされ得る。
【００４４】
代替的に上記医薬物質は組成物の複数層として適用され得ると共に、各層はポリマ材料により囲繞された一種類以上の薬剤から成り得る。この実施例において医薬物質の複数層は、適用される単一薬剤の複数層、各層における一種類以上の薬剤、および／または、交互的層における異なる薬剤組成物から成る医薬組成物から成り得る。一実施例において医薬物質を備える各層は、ポリマ材料の層により相互から分離され得る。別実施例においては、植設後における医薬物質の即時放出のために上記デバイスに対して医薬組成物の層が配備され得る。
【００４５】
一実施例において上記医薬物質もしくは医薬組成物は、植設の部位における平滑筋細胞の移動および増殖を抑制し得る一種類以上の薬剤もしくは物質であって、血栓形成を抑制可能であり、内皮細胞成長および分化を促進可能であり、且つ／又は、上記医療デバイスの植設の後で再狭窄を抑制し得るという一種類以上の薬剤もしくは物質を備え得る。付加的に、上記医療デバイスの管腔側表面上に前駆内皮細胞を捕捉すると、負傷の部位における機能的内皮の形成が加速される。
【００４６】
上記基質に取入れられ得る化合物または医薬組成物の例としては、限定的なものとしてで無く、プロスタシクリン、プロスタシクリン類似物、α−ＣＧＲＰ、α−ＣＧＲＰ類似物またはα−ＣＧＲＰ受容体作用薬；プラゾシン；モノサイト化学誘引蛋白質−１（ＭＣＰ−１）；ラパマイシンなどの免疫抑制薬剤、平滑筋細胞の移動および／または増殖を抑制する薬剤、トロンビン抑制剤などの抗血栓症薬剤、血小板因子４およびＣＸＣケモカインなどの免疫調整剤；ＣＸ３ＣＲ１受容体系の抑制因子；抗炎症薬剤、デヒドロエピアンドロステロン（ＤＨＥＡ）などのステロイド、テストステロン、１７β−エストラジオール；シムバスタチンおよびフルバスタチンなどのスタチン；フェノフィブレートおよび他の脂質低下薬剤の如きＰＰＡＲアルファ配位子、ロスグリタゾンなどのＰＰＡＲデルタおよびＰＰＡＲガンマ作用薬；ＮＦ−ｋβなどの核因子、コラーゲン合成抑制因子、アセチルコリン、アデノシン、５−ヒドロキシトリプタミンもしくはセロトニン、Ｐ物質、アドレノメジュリンの如き血管拡張剤、塩基性繊維芽細胞成長因子（ｂＦＧＦ）、血小板由来成長因子（ＰＤＧＦ）、内皮細胞成長因子（ＥＧＦ）、血管内皮細胞成長因子（ＶＥＧＦ）などの、内皮細胞成長および分化を誘起する成長因子；ミドスタウリンおよびイマチニブまたは任意の抗血管新生抑制因子化合物などのタンパク質チロシンキナーゼ抑制因子；成熟白血球の付着を抑制するペプチドもしくは抗体、抗生物質／抗菌薬、ならびに、タヒキニン、ネウロキニンもしくはシアロキニン、タヒキニンＮＫ受容体作用薬；ＭＬＮ−５１８およびその誘導体の如きＰＤＧＦ受容体抑制因子、酪酸および酪酸誘導プエラリン、フィブロネクチン、エリトロポイエチン、ダルベポエチン、セリンプロテイナーゼ−１（ＳＥＲＰ−１）などの他の物質が挙げられる。上述の化合物および医薬物質は、単独で、または、組み合わせて且つ／又はその混合物として、上記デバイス上の上記被覆に対して適用され得る。
【００４７】
一実施例において上記植設可能医療デバイスは、上記医薬物質を備える上記一層以上の基質の中間におけるひとつ以上の障壁層を備える被覆を備え得る。この実施例において上記障壁層は、限定的なものとしてで無く、ＰＬＡ、ＰＧＡ、ＰＬＧＡ、ＰＰＦ、ＰＣＬ、ＰＣＣ、ＴＭＣ、および、これらの任意の共重合体の如きポリエステル；ポリカルボン酸、マレイン酸無水物ポリマなどのポリ無水物；ポリオルソエステル；ポリアミノ酸；ポリエチレンオキシド；ポリホスファゼン；ポリ（Ｌ−乳酸）（ＰＬＬＡ）、ポリ（Ｄ，Ｌ，−ラクチド）、ポリ（乳酸−ｃｏ−グリコール酸）、５０／５０（ＤＬ−ラクチド−ｃｏ−グリコリド）の如き、ポリ乳酸、ポリグリコール酸、および、その共重合体および混合物；ポリジオキサノン；フマル酸ポリプロピレン；ポリデプシペプチド；ポリ（Ｄ，Ｌ−ラクチド−ｃｏ−カプロラクトン）およびポリカプロラクトン−ｃｏ−ブチルアクリレートの如き、ポリカプロラクトンおよびその共重合体および混合物；ポリヒドロキシ酪酸吉草酸塩および配合物；チロシン由来のポリカーボネートおよびアリール化物、ポリイミノ炭酸塩、および、ポリジメチルトリメチル−炭酸塩の如きポリカーボネート類；シアノアクリル酸塩；リン酸カルシウム；ポリグリコサミノグリカン類；（ヒアルロン酸；セルロースおよびヒドロキシプロピルメチル・セルロース；ゼラチン；澱粉；デキストラン；アルギン酸塩およびその誘導体を含む）多糖類、蛋白質およびポリペプチドの如き巨大分子；および、上記物質の内の任意の物質の混合物および共重合体などの、適切な生分解可能なポリマなどの適切な生分解可能物質から成り得る。上記生分解可能ポリマはまた、ポリヒドロキシ酪酸およびその共重合体、ポリカプロラクトン、ポリ無水物（結晶質および非晶質の両方）、マレイン酸無水物共重合体、および、リン酸亜鉛カルシウムの如き表面侵食可能ポリマともされ得る。デバイス上の被覆が有し得る障壁層の層数は、患者が必要とする治療により左右されて必要とされる治療の程度に依存する。たとえば、治療が長期であるほど、所定期間に亙り更に多くの治療物質が必要とされると共に、適時な様式で更に多くの障壁層が医薬物質を提供する。
【００４８】
本発明の実施例において、上記配位子は上記医療デバイスの血液接触表面に適用され、且つ、該配位子は循環血液中における目標細胞の表面上の所望の化合物もしくはエピトープを特異的に認識して結合する。一実施例において上記配位子は特に、遺伝子的に改変された細胞の細胞膜上の遺伝子的に設計されたマーカ分子のみを認識することで遺伝子的に改変された哺乳動物細胞のみを認識して結合すべく設計される。目標細胞を結合すると、該細胞は上記デバイスの表面に固定化される。
【００４９】
代替実施例において、上記医療デバイスの表面上の配位子であって遺伝子的に改変された細胞を結合するための配位子は、遺伝子的に設計された細胞膜マーカ分子に依存して選択される。すなわち上記配位子は、医療デバイスの表面上の該配位子により、遺伝子的に修飾された細胞のみが認識され得る様に、該細胞に対して提供された染色体外遺伝物質に起因して該細胞により発現される細胞膜マーカ分子もしくは抗原に対してのみ結合する。この様にして、医療デバイスの表面に対しては遺伝子的に修飾された細胞のみが結合し得る。たとえば、上記哺乳動物細胞が内皮細胞ならば上記配位子は少なくとも一種類の抗体、抗体断片またはそれらの組み合わせとされ得ると共に、上記抗体は、目標細胞の表面上の特異的な目標エピトープもしくはマーカ分子に対して特異的に提起される。本発明のこの見地において上記抗体は、モノクローナル抗体、ポリクローナル抗体、キメラ抗体またはヒト化抗体とされ得るが、該抗体は、表面マーカ分子と相互作用することにより遺伝子的に改変された内皮細胞のみを認識して結合することで、医療デバイスの表面に対する上記細胞の付着を調節する。本発明の抗体または抗体断片は、上記基質の表面に対して共有結合的にまたは非共有結合的に付着されるか、または、医療デバイスの基質被覆の最外側層に対してリンカ分子により共有結合的に束縛され得る。この実施例において、たとえば、上記モノクローナル抗体はＦａｂまたはＦ（ａｂ’）２断片を更に備え得る。本発明の抗体断片は、抗体として、目標抗原を認識して結合する特性を保持する大寸または小寸の分子などの任意の断片サイズを備える。
【００５０】
別実施例において本発明の抗体または抗体断片は、治療されつつある哺乳動物に対する特異性を以て抗原を認識して結合すると共に、その特異性は細胞系統に依存しない。特異的細胞膜マーカ分子を含む様には細胞が遺伝子的に修飾されない場合に再狭窄を治療するという一実施例において、上記抗体または断片は、ＣＤ１３３、ＣＤ３４、ＣＤ１４、ＣＤｗ９０、ＣＤ１１７、ＨＬＡ−ＤＲ、ＶＥＧＦＲ−１、ＶＥＧＦＲ−２、Ｍｕｃ−１８（ＣＤ１４６）、ＣＤ１３０、幹細胞抗原（Ｓｃａ−１）、幹細胞因子１（ＳＣＦ／ｃ−Ｋｉｔ配位子）、Ｔｉｅ−２、Ｈ−２ＫｋなどのＭＨＣ、および、ＨＬＡ−ＤＲ抗原などの、循環する前駆内皮細胞表面抗原を特異的に選択して結合する。
【００５１】
別実施例において上記医療デバイスの被覆は上述された如く少なくとも一層の生体適合性基質を備え、該基質は、治療的有効量の天然または合成由来の少なくとも一種類の小寸分子を付着させる外側面を備える。上記小寸分子は、たとえば再狭窄の治療においては前駆内皮細胞を認識して相互作用し、該細胞を上記デバイスの表面上に固定化して内皮層を形成する。上記小寸分子は、種々の疾患の治療のために上記医療デバイスと併せて使用可能であり、且つ、脂肪酸、蛋白質、核酸、糖類などの細胞成分などの種々の供給源から供与され得ると共に、抗体と同一の結果もしくは効果を以て、前駆内皮細胞の表面上の抗原と相互作用し得る。本発明のこの見地において上記医療デバイス上の上記被覆は、抗体もしくは抗体断片を備える被覆と併せて本明細書で記述された如く成長因子などの化合物を更に備え得る。
【００５２】
別実施例において上記医療デバイスの被覆は上述された如く少なくとも一層の生体適合性基質を備え、該基質は、治療的有効量の天然または合成由来の少なくとも一種類の小寸分子を付着させる管腔側表面を備える。上記小寸分子は、前駆内皮細胞表面の如き目標細胞上の抗原を認識してそれと相互作用することで、上記デバイスの表面上に前駆内皮細胞を固定化して内皮を形成する。上記小寸分子は、脂肪酸、ペプチド、蛋白質、核酸、糖類などの細胞成分の如き種々の供給源から供与され得ると共に、抗体と同一の結果もしくは効果を以て、たとえば前駆内皮細胞の表面上の抗原の如き構造と相互作用し得る。
【００５３】
別実施例においては、再狭窄およびアテローム性動脈硬化症などの血管疾患を治療する方法であって、当該医薬物質を必要とする患者に対して医薬物質を局所的に投与する段階を備える方法が提供される。該方法は、患者の血管もしくは中空器官内へと被覆を備えた医療デバイスを植設する段階を備え、上記被覆は、平滑筋細胞移動を抑制することで再狭窄を抑制する薬剤もしくは物質から成る医薬組成物と、生体適合性、生分解可能、生体侵食性、非毒性のポリマ性もしくは非ポリマ性の基質とを備え、上記医薬組成物は薬剤の遅延放出のための低速もしくは徐放処方から成る。上記医療デバイス上の上記被覆はまた、機能的内皮が形成される様に、内皮細胞および／または前駆細胞などの細胞を上記デバイスの管腔側表面上に捕捉する抗体などの配位子も備え得る。
【００５４】
別実施例においては、被覆済み医療デバイスまたは被覆を備えた医療デバイスを作成する方法であって、医療デバイスの表面に対し、ポリマもしくは非ポリマ基質と、一種類以上の薬剤から成る医薬組成物とを適用する段階と、当該配位子が、上記デバイスの表面に対して付着すると共に、循環している生来のもしくは遺伝子的に加工された細胞の細胞膜上の分子に結合すべく設計される様に該配位子を上記医療デバイスに対して適用する段階とを備えるという方法が提供される。この実施例において上記ポリマ基質は、コラーゲン、トロポコラーゲン、エラスチン、トロポエラスチン、架橋トロポエラスチン、ポリ（ラクチド−ｃｏ−グリコリド）共重合体の如き生体適合性、生分解可能、非毒性のポリマ基質と、一種類以上の医薬物質とから成り、上記基質および上記物質は上記医療デバイスに対する適用に先立ち混合され得る。この実施例においては、上記デバイスの上記表面に対しては少なくとも一種類の配位子が適用されると共に、該配位子は、上記デバイス表面に対して薬剤／基質組成物を接触させ乍ら、上記デバイスの頂部もしくは外側面上に対して付加され得る。該方法は代替的に、一種類以上の薬剤および医薬的に容認可能な担体を備えた一層以上の医薬組成物を適用する段階と、上記デバイスに一層以上のポリマ基質を適用する段階とを備え得る。
【００５５】
一実施例において、上記基質は医薬物質ありでもしくはなしで適用され得ると共に、上記配位子は、浸漬、噴射または蒸着の如き標準的な技術を用いて幾つかの方法により上記医療デバイスに対して独立的に適用され得る。代替実施例において上記ポリマ基質は、上記医薬物質ありでまたはなしで、上記デバイスに対して適用され得る。ポリマ基質が薬剤なしで適用されるという本発明のこの見地において、薬剤は基質の各層間の層として適用され得る。他の実施例においては、医薬物質から成る各層間に障壁層が適用される。
【００５６】
一実施例において上記方法は、抗体などの配位子が上記医療デバイスの管腔側表面に付着され得る様に、上記デバイスの最外側表面に配位子を適用し乍ら上記医薬組成物を複数層として適用する段階を備える。一実施例において上記医療デバイスを被覆する方法は、少なくとも一層以上の基質と、一種類以上の医薬物質と、基底膜成分とを上記医療デバイスの表面に対して適用する段階と、上記医療デバイス上の上記少なくとも一層の組成物に対し、遺伝子的に改変された目標細胞に結合して固定化する少なくとも一種類の配位子を備える溶液を適用する段階と、上記ステント上の上記被覆を真空下で低温にて乾燥させる段階とを備える。
【００５７】
別実施例において上記被覆は、上記基質内の複数成分の医薬組成物であって、早期の新内膜過形成／平滑筋細胞移動および増殖を抑制する速効性医薬物質と、血管開存性を維持する長期作用物質もしくは正の血管再構成作用物質を放出する二次的生体安定基質であって、内皮窒素酸化物合成酵素（ｅＮＯＳ）、アスピリンもしくはその誘導体の如き窒素酸化物供与体および誘導体、窒素酸化物を生成するヒドロゲル、ＰＰＡＲ−α配位子の如きＰＰＡＲ作用薬、組織プラスミノゲン活性化因子、アトルバスタチンの如きスタチン、エリスロポイエチン、ダルベポチン、セリンプロテイナーゼ−１（ＳＥＲＰ−１）、および、プラバスタチン、ステロイドおよび／または抗生物質の如き二次的生体安定基質とを含有する如き医薬組成物から成る。
【００５８】
別実施例においては、患者の疾患を治療する治療薬剤供与システムおよび方法が提供される。治療または薬剤供与システムは、前駆内皮細胞または遺伝子的に改変された哺乳動物細胞、および、少なくとも単一的にまたは二重に遺伝子導入された遺伝子的に改変された哺乳動物細胞などの目標細胞を認識して結合する少なくとも一種類の配位子を備える基質を備える被覆を有する医療デバイスを備える。
【００５９】
一実施例において本発明の医療デバイスの上記被覆は、生体適合性基質と、少なくとも一種類の医薬物質もしくは配位子であって、再狭窄の防止もしくは治療などにおける前駆内皮細胞、または、血管再構成および癌の治療などにおける遺伝子的に改変された哺乳動物細胞などの目標細胞を特異的に認識して該デバイスの表面上へと結合させるという少なくとも一種類の物質または配位子とを備える。
【００６０】
付加的に、上記医療デバイスの被覆は選択的に、上記遺伝子的に改変された細胞の設計済み遺伝子の発現かつ分泌を調節する少なくとも一種類の活性化化合物を備え得る。活性化刺激化合物の例としては、限定的なものとしてで無く、化学的部分、および、成長因子などのペプチドが挙げられる。上記被覆が少なくとも一種類の化合物を備えるという実施例において、上記刺激活性化分子もしくは化合物は、上記細胞を刺激して疾患の治療のための少なくとも一種類の治療物質を発現および／または分泌させるべく機能し得る。
【００６１】
一実施例において上記医療デバイス上の上記被覆は、抗体、抗体断片、または、抗体および抗体断片の組み合わせなどの少なくとも一種類の配位子、あるいは、上記遺伝子的に修飾された細胞の表面の設計マーカに結合する少なくとも一種類の分子、の治療的有効量を付着させる外側面を備える生体適合性基質を備える。本発明の抗体または抗体断片は、目標細胞が上記デバイスの表面上に固定化される様に、目標細胞の細胞膜または表面上の抗原または特異的な遺伝子的に設計された細胞表面マーカを認識して結合する。一実施例において上記被覆は、固定化された前駆内皮細胞を刺激する有効量の少なくとも一種類の化合物であって、目標細胞が循環前駆細胞ならば成熟した機能的内皮の形成を加速し、または、目標が医療デバイスの表面の遺伝子的に改変された細胞ならば結合された細胞を刺激して所望の遺伝子産物を発現かつ分泌させるという有効量の少なくとも一種類の化合物を備え得る。
【００６２】
一実施例において、たとえば再狭窄を治療する場合に本発明の被覆の化合物は、前駆細胞が成長および分化して成熟した機能的内皮細胞となるのを刺激もしくは加速する任意の化合物を備える。別実施例において上記化合物は、遺伝子的に修飾された細胞を刺激し、所望の遺伝子産物を発現かつ分泌させる。たとえば、本発明で使用される化合物は、血管内皮成長因子（ＶＥＧＦ）、塩基性繊維芽細胞成長因子、血小板起因成長因子、形質転換成長因子β１、酸性繊維芽細胞成長因子、アンジオポエチン１（Ａｎｇ−１）、アンジオポエチン２（Ａｎｇ−２）、インスリン状成長因子、顆粒球マクロファージ・コロニー刺激因子、血小板由来成長因子ＡＡ、血小板由来成長因子ＢＢ、血小板由来成長因子ＡＢ、および、内皮ＰＡＳ蛋白質１などの成長因子とされ得る。
【００６３】
たとえば遺伝子的に改変された哺乳動物細胞を用いる別実施例において、細胞を刺激して、遺伝子的に設計された遺伝子産物を発現かつ分泌させるために有用な活性作用物質もしくは化合物としては、限定的なものとしてで無く、エストロゲン、テトラサイクリンおよび他の抗体、タモキシフェンなどが挙げられると共に、パッチを介して皮膚を通し且つ皮下的などの種々の投与経路を介して患者に提供され得る。
【００６４】
本発明はまた、血管疾患、癌、血管再構成、深刻な冠状動脈疾患、アテローム性動脈硬化症、再狭窄、血栓症、動脈瘤および血管障害などの種々の疾患を治療する方法も提供する。一実施例においては、ステントもしくは合成血管グラフト、心臓弁、腹部大動脈瘤デバイスおよびそれらの構成要素などの血管壁に対する医療デバイス挿入物を保持もしくはシールし、且つ、血管の恒常性を確立することで、再狭窄における如き過剰な内膜過形成を防止する方法が提供される。アテローム性動脈硬化症を治療する本発明の方法において動脈は、冠状動脈、または、大腿動脈などの末梢動脈のいずれかとされ得る。これらの技術および医療デバイスを用いて、静脈も治療され得る。
【００６５】
再狭窄の治療に関して本発明は、治癒応答を誘起すべく設計された方法も提供する。一実施例においては、植設された血管の目標病巣において植設されたデバイスの管腔側表面において内皮の融合層の形成を迅速に誘起する方法が提供され、その場合に内皮細胞は、窒素酸化物シンテターゼならびに他の抗炎症因子および炎症調節因子を発現する。本発明はまた、先行技術のデバイスと比較して大きな生体適合性を有する医療デバイスであって、該医療デバイスの植設の部位における内側管腔表面（ｉｎｎｅｒ  ｌｕｍｉｎａｌ  ｓｕｒｆａｃｅ）に沿う平滑筋細胞の移動、平滑筋細胞の分化、および、コラーゲン析出を低減もしくは抑制することにより、組織による過剰な内膜過形成および再狭窄を低減もしくは抑制するという医療デバイスも提供する。
【００６６】
一実施例において、医療デバイスを被覆する方法は、医療デバイスの表面に対して少なくとも一層の生体適合性基質を適用する段階であって、上記生体適合性基質は、ポリウレタン、セグメント化ポリウレタン−尿素／ヘパリン、ポリＬ乳酸、セルロース・エステル、ポリエチレングリコール、ポリ酢酸ビニル、デキストラン、ゼラチン、コラーゲン、エラスチン、トロポエラスチン、ラミニン、フィブロネクチン、ビトロネクチン、ヘパリン、フィブリン、セルロースおよび炭素およびフラーレンから成る群から選択された少なくとも一種類の成分を備え得るという段階と、治療的有効量の少なくとも一種類の抗体、抗体断片またはそれらの組み合わせ、および、内皮細胞の成長および分化を刺激する少なくとも一種類の化合物を、上記生体適合性基質に対して同時にまたは順次的に適用する段階とを備える。
【００６７】
本発明は更に、哺乳動物の血管もしくは管状器官の内腔内に医療デバイスを植設する段階を備える哺乳動物における血管疾患を治療する方法であって、上記医療デバイスは、（ａ）生体適合性基質、（ｂ）治療的有効量の少なくとも一種類の抗体、抗体断片またはそれらの組み合わせ、および、（ｃ）少なくとも一種類の化合物により被覆され、上記抗体または抗体断片は前駆内皮細胞が上記基質の表面上に固定化される様に前駆内皮細胞上の抗原を認識して結合し、且つ、上記化合物は固定化された前駆内皮細胞を刺激して上記医療デバイスの表面上に内皮を形成するという方法を提供する。
【００６８】
一実施例においては、患者における疾患を治療する治療／薬剤供与システムも提供される。該治療または薬剤供与システムは、遺伝子的に設計された細胞膜マーカと少なくとも一種類の治療的遺伝子産物とをコード化する外因性核酸を備えた遺伝子的に改変された哺乳動物細胞と、患者に植設される医療デバイスとを備える。一実施例において上記遺伝子的に設計された細胞は、該細胞に対して所望の遺伝子を提供する外因性遺伝物質を備える適切な遺伝子導入ベクタにより試験管内で遺伝子導入される。この実施例において上記細胞は、内皮細胞、繊維芽細胞、筋芽細胞などの自己由来、同種間または異種間のいずれかの任意の哺乳動物細胞とされ得る。この実施例において上記医療デバイスは、遺伝子的に改変された哺乳動物細胞の表面上の遺伝子的に設計された細胞膜マーカ分子もしくは抗原に対して結合することで上記細胞に対してのみ結合する配位子を備える生体適合性基質により被覆される。
【００６９】
この実施例の治療および／または薬剤供与システムにおいて、遺伝子的に改変された細胞に対しては、細胞表面マーカ分子をコード化する少なくとも一種類の所望遺伝子と、治療的遺伝子産物をコード化する少なくとも一個の遺伝子とを導入する外因性遺伝物質が提供される。上記システムは選択的に、上記遺伝子的に改変された哺乳動物細胞を刺激することで所望の遺伝子産物および／またはマーカ遺伝子を発現および／または分泌させる活性化化合物もしくは分子などの信号システムを備える。
【００７０】
故に、一実施例において、哺乳動物細胞内に導入される外因性遺伝物質は、上記デバイス上の配位子に対して特異的に結合する細胞膜マーカをコード化すべく設計される。たとえば、上記デバイスが血管内腔内に植設されるなら、患者に対して提供される上記遺伝子的に設計された細胞を除き、血流内を循環する一切の細胞においては見出されない細胞膜マーカをコード化する。
【００７１】
また、限定的なものとしてで無く、アテローム性動脈硬化症、癌および慢性関節リウマチなどの血管疾患の如き種々の疾患の治療のための被覆済み医療デバイスおよび方法も提供される。本発明の医療デバイスは、患者に対する該被覆済み医療デバイスの植設時に同時にまたは順次的に導入される遺伝子的に改変された哺乳動物細胞の生体内での特異的な捕捉および固定化のための被覆を備える。
【００７２】
また、特定の疾患を治療する少なくとも一種類の物質もしくは治療物質を発現および／または分泌すべく固定化された遺伝子的に改変された細胞も提供される。たとえば癌を治療する本発明のこの見地において、たとえば内皮細胞などの細胞は、該細胞内に外因性遺伝物質を導入することにより遺伝子的に改変される。一実施例において上記遺伝物質は、上記細胞の核内に導入されると共に、染色体外ＤＮＡなどのＤＮＡである。該染色体外ＤＮＡは、アデノウイルス・ベクタなどのベクタ、裸のプラスミドなどのプラスミド、線状もしくは短寸のＤＮＡなどとされ得る。一実施例において上記ＤＮＡは、所望のマーカおよび／または治療的遺伝子の発現を制御する調節／発現カセットから成る。一実施例において上記調節カセットは、治療的遺伝子の構成性発現に対する調節要素から成り得るか、または、必要に応じて患者により制御もしくは発現され得る要素から成り得る。
【００７３】
一実施例において、患者に植設される医療デバイスは被覆を備え、該被覆は、遺伝子的に改変された目標細胞を認識して結合する少なくとも一種類の配位子を担持する基質を備える。この実施例において、上記配位子は、細胞内へと設計された特異的な細胞膜マーカ分子もしくは抗原のみを認識して結合する。故にこの実施例において、斯かる配位子は患者に導入された遺伝子的に改変された哺乳動物細胞のみを認識し、且つ、遺伝子的に改変された哺乳動物細胞は上記医療デバイスに結合すると共に、マーカ分子もしくは抗原ならびに少なくとも一種類の治療的遺伝子産物を発現かつ分泌する。
【００７４】
別実施例において上記治療もしくは薬剤供与システムは更に、上記遺伝子的に改変された哺乳動物細胞を刺激して所望の治療的遺伝子産物を発現および／または分泌させる活性化分子も備え得る。本発明のこの見地においては患者に対し、経口経路、熱的パッチ、静脈内的、皮内的などの幾つかの方法により、化学的興奮剤またはペプチドなどの化合物が提供され得る。この実施例において上記遺伝子的に改変された哺乳動物細胞は、成熟内皮細胞、繊維芽細胞、筋細胞、上皮細胞などの内因的または異種間とされ得ると共に、染色体外ＤＮＡとされ得る外因性核酸を備え得る。一実施例において上記ＤＮＡは、アデノウイルス・ベクタ、裸のプラスミドＤＮＡ、線状ＤＮＡなどのベクタの形態で提供される。一実施例において上記染色体外ＤＮＡは、調節カセットと、細胞膜抗原をコード化する遺伝子と、疾患を治療するペプチドをコード化する少なくとも一個の遺伝子とを備える。この実施例のひとつの見地において、上記細胞膜特異遺伝子は、たとえば骨形成蛋白質もしくは前立腺細胞膜蛋白質をコード化する。
【００７５】
一実施例において上記染色体外遺伝物質は、プラスミノゲン活性化因子、血管再構成に使用される血管内皮成長因子およびアンギオゲニン、または、たとえば癌の治療における抗血管新生因子などの治療／薬剤生成物をコード化する核酸配列を備える。
【００７６】
別実施例においては、患者の疾患を治療する方法が提供される。該方法は、
遺伝子的に設計された細胞膜マーカ分子と少なくとも一種類の治療的遺伝子産物とをコード化する外因性核酸を備えた遺伝子的に改変された哺乳動物細胞を、患者に対して提供する段階と、
少なくとも一種類の配位子を担持する基質を備えた被覆であって上記配位子は上記遺伝子的に改変された哺乳動物細胞上の上記細胞膜マーカ分子を認識して結合するという被覆を備えた医療デバイスを、上記患者に植設する段階とを備え、
上記遺伝子的に改変された哺乳動物細胞は上記医療デバイスに結合すると共に遺伝物質を包含し、上記治療的遺伝子産物を発現して分泌する。本発明の実施例において上記治療的遺伝子および遺伝子産物は、たとえば、血管内皮成長因子、アンギオゲニン、抗血管新生因子、および、繊維芽細胞成長因子などから成る。
【００７７】
本発明は、患者における疾患を治療する方法も提供し、該方法は、遺伝子的に改変された哺乳動物細胞を患者に対して提供する段階と、医療デバイスを上記患者に植設する段階とを備え、上記医療デバイスは少なくとも一種類の配位子を担持する基質を備える被覆を備え、上記配位子は、上記遺伝子的に改変された哺乳動物細胞上の受容体などの少なくとも一種類のマーカ分子を特異的に認識して結合し、且つ、上記遺伝子的に改変された哺乳動物細胞は、上記医療デバイスに結合すると共に、治療的遺伝子産物を発現かつ分泌する外因性核酸を備える。
【００７８】
別実施例においては、生体内で血液接触表面に対して細胞を収集する方法が提供される。該方法は、対象体の血管内へと医療デバイスを植設する段階であって、該血管植設体は対象体の血流において循環する目標細胞に結合すべく構成された血液接触表面を有するという段階を備え、血管損傷の部位における正常な内皮を回復する上で、上記血液接触表面に対して付着した目標細胞は、その場で増殖して機能的内皮を形成するか、または、上記デバイスの表面を自己内皮化（ｓｅｌｆ−ｅｎｄｏｔｈｅｌｉａｌｉｚｅ）する。上記血液接触表面は生分解可能な枠材とされ得るか、または、生分解可能で生体適合性の材料で被覆され得る。本発明のこの見地において、上記生分解可能な枠材は血管内に植設されたときにその場で分解され得ると共に、デバイスの管腔側表面上に形成された新内皮は、機能的な新血管を形成すべく損傷部位の全体に亙り血管連続性を復元する。
【００７９】
一実施例においては、原位置で内皮化する血管グラフトを形成する生分解可能な枠材であって、（ａ）内孔および外側表面を有する孔性の生分解可能支持部材と、（ｂ）上記支持部材に対して被覆された少なくともひとつの種のポリマ化合物の第１層を備える内孔表面であって、上記化合物は、生体内条件下で酵素的切断もしくは非酵素的加水分解に委ねられる共有結合を形成する架橋剤により該化合物自体が架橋されるという内孔表面と、（ｃ）遺伝子的に改変された哺乳動物細胞に対して生体内で結合する特異的親和力を有する配位子とを備えて成る、生分解可能な枠材が提供される。
【００８０】
別実施例においては、（ａ）循環血液に露出される表面を有するプロテーゼ構造を配備する段階と、（ｂ）上記プロテーゼ構造を対象体または患者に対して植設する段階と、（ｃ）遺伝子的に改変された哺乳動物細胞を上記患者に対して投与する段階と、（ｄ）遺伝子的に改変された哺乳動物細胞などの細胞を血液から収集して上記プロテーゼ構造の表面に結合させ、上記プロテーゼ構造の表面上に、遺伝子的に改変された細胞の層であって発現すると共に所望の遺伝子産物を分泌し得る遺伝子を含有するという層を形成する段階とを備えて成る、原位置において自己内皮化するグラフトを生成する方法。
【００８１】
更に別の実施例においては、損傷血管の内方へのもしくは負の再構成を防止もしくは抑制すべく、外方へのもしくは正の再構成により動脈の円周を増大し、アテローム硬化性プラークの形成によりまたは動脈損傷の後の内膜過形成により引き起こされる内腔の侵食を部分的にまたは全体的に補償するなどして生体内での血管再構成を促進する方法が提供される。この実施例においては、たとえばプロスタグランジン１２すなわちＰＧ１２などのプロスタサイクリン、α−ＣＧＲＰ、モノサイト化学誘引蛋白質−１（ＭＣＰ−１）などのカルシトニン遺伝子関連ペプチドなどの少なくとも一種類の強力な抗凝血剤および血管拡張因子を分泌し得る内皮前駆細胞などの遺伝子的に修飾された自己由来細胞を捕捉するために、たとえば、遺伝子的に設計された細胞と併せて上述された如く基質および配位子により被覆されたステントが提供される。上記細胞により生成されるべく設計され得る他の生成物としては、窒素酸化物（窒素酸化物シンテターゼ遺伝子）、基質メタロプロテアーゼ、アセチルコリン、アデノシン、５−ヒドロキシトリプタミン、Ｐ物質、アドレノメジュリンなどが挙げられる。その生成物が血管拡張剤および／または抗凝血剤として作用しまたは斯かる特性を有するという一切の遺伝子が使用され得ると共に、たとえば、血管拡張因子は血管平滑筋の弛緩を引き起こし得る。前駆内皮細胞もしくは内皮細胞に対しては、たとえばシストロン遺伝子構造を用いるウィルス的遺伝子導入などの遺伝子導入技術により、たとえば血管拡張因子をコード化するプロスタサイクリン・シンテターゼ遺伝子などの遺伝子が提供可能であり、たとえばプロスタサイクリンの場合、シストロン性シクロオキシゲナーゼ−１／プロスタサイクリン・シンテターゼ遺伝子構造はプロスタサイクリンを局所的に連続的に供与し得る。この実施例において、プロスタサイクリンに対する局所的供与システムは、たとえば脳梗塞および冠状動脈血管疾患を治療すべく使用され得る。動脈硬化を調節するための治療としては、血管の正の再構成すなわち成人における小動脈および動脈などの成熟血管の形成を使用して、側枝血管も形成され得る。
【００８２】
別実施例においては、繊維芽細胞、内皮細胞または前駆内皮細胞などの適切な細胞が、血管内プロテーゼ上に固定化された抗体などの配位子により認識され得る血管拡張化合物、および、短小化ＭＨＣ−Ｉなどの固有細胞表面マーカの両方をコード化するバイシストロン性ベクタを以て遺伝子導入され得る。たとえば、抗体などの配位子により被覆されたステントが患者の冠状動脈内に植設され得ると共に、血管疾患の治療を必要とする上記患者に対し、遺伝子的に修飾された内皮細胞などの遺伝子的に修飾された細胞の移植が追随する。この実施例、および、遺伝子的に修飾された細胞を用いる他の実施例においては、たとえばバイシストロン性ｐＭＡＣＳＫＫ．ＩＩプラスミド・ベクタ（ドイツ、ミルテニ・バイオテック社）などのプラスミド・ベクタであって、マルチクローニング部位を含むと共に、たとえばプロスタサイクリン・シンテターゼなどの関心遺伝子、ならびに、使用される哺乳動物細胞系統に対する選択マーカとしての短小化ＭＨＣクラスＩ分子Ｈ−２ＫＫなどのマーカ遺伝子が挿入され得るというプラスミド・ベクタを用いる標準的な遺伝子設計技術を使用して、細胞の移植に先立ち該細胞内に外因性遺伝子が供与され得る。
【００８３】
更に別の実施例において、治療に使用される哺乳動物細胞に遺伝子導入を行う外因性遺伝子供与システムは、たとえば、短小化ＭＨＣクラスＩ抗原、および、血管疾患を治療するプロスタサイクリン・シンテターゼおよび／またはα−ＣＧＲＰ遺伝子などの血管拡張因子導入遺伝子を含み得るレンチウィルス・ベクタを備え得る。この実施例において、遺伝子導入されるべき哺乳動物細胞は自己由来の内皮細胞もしくは内皮前駆細胞とされ得ると共に、上記人工デバイスは、短小化ＭＨＣクラスＩ抗原に対して特異的である抗Ｈ−２Ｋｋ抗体などの配位子により被覆され得る。
【発明の効果】
【００８４】
本発明によれば、血管損傷の部位における機能的内皮を再確立する効率的なシステム、ならびに、現在において利用可能な技術の制限を克服する局所的薬剤供与システムが提供される。
【発明を実施するための最良の形態】
【００８５】
本明細書に示された実施例においては植設可能構造の形態の医療デバイスであって、その全ての開示内容は言及したことにより本明細書中に援用されるという米国特許出願第１０／４４２，６６９号に記述された如き生分解可能、生体適合可能、非毒性、生体侵食可能、生体吸収可能なポリマ基質内に分散された医薬物質を備える均一な基質と、当該デバイスの管腔側表面上に内皮細胞および前駆内皮細胞などの循環細胞を捕捉して固定化すべく上記基質に付着された抗体または他の任意で適切な分子などの配位子とにより被覆されたデバイスが提供される。該医療デバイスは、それらの開示内容は言及したことにより本出願中に援用されるという係属中の米国特許出願第０９／８０８，８６７号および第１０／３６０，５６７号に記述された如く当該デバイスの植設の部位にて機能的内皮を迅速に形成する機構を提供する。一実施例において上記医療デバイスは、露出され又は細胞が剥離されて保存された血管であって、人間、豚または牛の由来とされ得る。保存された血管は、たとえば血管グラフトセグメントとして適切な枠材を形成する。
【００８６】
上記医療デバイスの構造は、基質が適用され得る少なくともひとつの表面を有すると共に少なくとも一種類以上の基礎材料を備え、且つ、それは器官または血管の内腔内へ植設されるものである。上記基礎材料は、たとえば、ステンレス鋼、ニチノール、ＭＰ３５Ｎ、金、タンタル、白金もしくは白金イリジウム、または炭素もしくは炭素繊維などの他の生体適合性金属および／または合金、酢酸セルロース、硝酸セルロース、シリコーン、架橋ポリ酢酸ビニル（ＰＶＡ）ヒドロゲル、架橋ＰＶＡヒドロゲル発泡体、ポリウレタン、ポリアミド、スチレン／イソブチレン／スチレン・ブロック共重合体（Ｋｒａｔｏｎ）、ポリエチレン・テレフタレート、ポリウレタン、ポリアミド、ポリエステル、ポリオルトエステル、ポリ無水物、ポリエーテル・スルフォン、ポリカーボネート、ポリプロピレン、高分子量ポリエチレン、ポリテトラフルオロエチレン、または、生体適合性ポリマ材料、または、それらの共重合体の混合物；ポリ乳酸、ポリグリコール酸などのポリエステルまたはその共重合体、ポリ無水物、ポリカプロカクトン、ポリヒドロキシ酪酸吉草酸塩、または、他の生分解可能ポリマ、または、混合物もしくは共重合体、細胞外基質成分、蛋白質、コラーゲン、フィブリン、または、他の生物活性物質、または、それらの混合物などの種々の形式とされ得る。
【００８７】
上記医療デバイスは、病状の予防処置または治療のために哺乳動物の体内に一時的もしくは永続的に導入される任意のデバイスとされ得る。これらのデバイスとしては、動脈、静脈、心臓の心室および／または心房などの、器官内、組織内または器官の内腔内に着座すべく皮下的、経皮的または手術的に導入される任意のデバイスが挙げられる。医療デバイスとしては、ステント、ステント・グラフト；ポリテトラフルオロエチレン（ＰＴＦＥ）、発泡ポリテトラフルオロエチレン（ｅＰＴＦＥ）によりカバーされたステントなどのカバー付きステント、または、合成血管グラフト、人工心臓弁、人工心臓、および、血管循環系に対して人工器官を接続する固定具、静脈弁、腹部大動脈瘤（ＡＡＡ）グラフト、下大動脈フィルタ、永続的薬剤注入カテーテル、塞栓用コイル、血管塞栓で使用される塞栓用物質（たとえば架橋ＰＶＡヒドロゲル）、センサ、血管縫合糸、血管吻合用固定具、経心筋層血管再生用ステントおよび／または他の管路が挙げられる。
【００８８】
上記医療デバイスの被覆組成物は、近傍または周囲の組織へと低速または徐放様式で当該医薬物質が局所的に放出される様にポリマ基質内に取入れられた一種類以上の医薬物質と、当該医療デバイスの血液接触表面に取付けられた一種類以上の配位子とを備える。上記医薬物質が制御様式で放出されることから、ゼロ程度の溶出プロフィル様式で長期間に亙り少量の薬剤もしくは活性作用物質が放出され得る。薬剤の放出反応速度は更に、該薬剤の疎水性に依存し、すなわち、薬剤が更に疎水性であるほど、上記基質からの薬剤の放出速度は遅い。代替的に、親水性薬剤は基質から更に高い速度で放出される。故に上記基質組成物は、植設部位にて必要とされる薬剤の濃度を更なる長期間に亙り維持するために、供与されるべき薬剤に従い変更され得る。故に必要部位にては、再狭窄を防止するために更に有効であり得るという薬剤の長期的効果であって、使用されて放出される医薬物質の副作用を最小限とし得る長期的効果が提供される。
【００８９】
上記基質は、種々のポリマ基質から成り得る。但し該基質は、生体適合性、生分解可能、生体侵食性、非毒性、生体吸収可能であり、且つ、分解が低速とされねばならない。生体適合性の非ポリマ基質としては、たとえば、たとえば金属合金から作成されたナノ粒子で形成された基質が挙げられる。斯かるナノ粒子は、上記デバイス上の上記被覆からの医薬物質の放出の速度を制御すべく、種々の程度の有孔率を備えた異なるサイズで作成され得る。ナノ粒子は、気孔サイズで約５ｎｍ〜約５μｍのサイズに亙り得ると共に、約４０ｎｍ〜約３００ｎｍの平均孔サイズを有し得る。孔性ナノ粒子は上記デバイスの表面に対して適用され得ると共に、その後に医薬組成物がナノ粒子内に含浸され得、配位子の適用が追随する。
【００９０】
本発明において使用され得る生体適合性ポリマ基質としては、限定的なものとしてで無く、ポリ（ラクチド−ｃｏ−グリコリド）、ポリ乳酸、ポリグリコール酸などのポリエステルまたはその共重合体、ポリ無水物、ポリカプロカクトン、ポリヒドロキシ酪酸吉草酸塩、および、他の生分解可能ポリマ、または、混合物もしくは共重合体などが挙げられる。別実施例においては、コラーゲン、エラスチン、トロポエラスチン、架橋トロポエラスチン、フィブリンなどの蛋白質、および、細胞外基質成分、または、他の生物学的作用物質、または、それらの混合物から、天然のポリマ材料が選択され得る。
【００９１】
上記被覆において使用され得るポリマ基質としては、ポリ（ラクチド−ｃｏ−グリコリド）、ポリＤＬラクチド、ポリＬラクチドおよび／またはそれらの混合物が挙げられると共に、種々の固有粘度および分子量とされ得る。たとえば一実施例においては、ポリ（ＤＬラクチド−ｃｏ−グリコリド）（ＤＬＰＬＧ、バーミンガム・ポリマ社（Ｂｉｒｍｉｎｇｈａｍ  Ｐｏｌｙｍｅｒｓ  Ｉｎｃ．））が使用され得る。ポリ（ＤＬラクチド−ｃｏ−グリコリド）は生体吸収可能、生体適合性、生分解可能、非毒性、生体侵食性の物質であり、これは、ビニル性モノマであると共にポリマ状でコロイド的な薬剤担体の役割を果たし得る。ポリＤＬラクチド物質は均一組成物の形態とされ得ると共に、可溶化されて乾燥されたときにはチャネルの格子を形成可能であり、組織に対する供与のために医薬物質が該格子内に捕捉され得る。
【００９２】
上記デバイス上の被覆の薬剤放出反応速度は、上記基質として使用されるポリマもしくは共重合体の固有粘度、および、上記組成物における薬剤の量にも依存して制御され得る。上記ポリマまたは共重合体の特性は、該ポリマまたは共重合体の固有粘度に依存して変化し得る。たとえば、ポリ（ＤＬラクチド−ｃｏ−グリコリド）が使用されるという一実施例において、固有粘度は約０．５５〜約０．７５（ｄＬ／ｇ）の範囲とされ得る。ポリ（ＤＬラクチド−ｃｏ−グリコリド）は、約５０〜約９９％（ｗ／ｗ）のポリマ状組成物から上記被覆組成物に対して付加され得る。図１は、ポリ（ＤＬラクチド−ｃｏ−グリコリド）ポリマ基質を備える被覆により部分的に被覆されたステントを示している。ポリ（ＤＬラクチド−ｃｏ−グリコリド）ポリマ被覆はたとえば、被覆済み医療デバイスが延伸および／または伸張に委ねられたときに裂開なしで変形し、塑性および／または弾性変形を受ける。故に、塑性および弾性変形に耐え得るポリ（ＤＬラクチド−ｃｏ−グリコリド）という酸系被覆などのポリマは、先行技術のポリマと比較して好適な特性を有する。更に、種々の分子量のポリマを用いることで、上記基質の溶解の速度も制御され得る。たとえば、医薬物質の放出を更に低速とするには、ポリマは更に高い分子量とされねばならない。ポリマまたはその組み合わせの分子量を変更することにより、特定薬剤に対する好適な溶解速度が達成され得る。代替的に医薬物質の放出速度は、医療デバイスに対してポリマ層を適用し、一層以上の薬剤が追随し、更に、一層以上のポリマが追随することで制御され得る。これに加え、薬剤層間にはポリマ層が適用されることで、被覆からの医薬物質の放出速度が低減され得る。
【００９３】
上記被覆組成物の展性は、上記共重合体におけるグリコリドに対するラクチドの比率を変更することにより更に改変され得る。たとえば、上記被覆を更に展性とすべく、且つ、医療デバイスの表面に対する上記被覆の機械的付着力を強化して被覆組成物の放出反応速度を助力すべく、上記ポリマの各成分の比率が調節され得る。この実施例において上記ポリマの分子量は、所望される薬剤の放出速度に依存して変更され得る。ラクチドとグリコリドとの比率は上記組成物において夫々、約５０〜８５％乃至約５０〜１５％の範囲とされ得る。上記ポリマにおけるたとえばラクチドの量を調節することにより、上記被覆からの薬剤の放出速度も制御され得る。
【００９４】
故に上記ポリマの固有生分解は、被覆からの薬剤の放出速度を決定し得る。ポリマの生分解に関する情報は、たとえばバーミンガム・ポリマ社からのラクチドに対する製造者情報から獲得され得る。
【００９５】
たとえば、ラクチドおよびグリコリドのポリマに関する分解の主要モードは、加水分解である。分解は先ず、上記物質へと水が拡散することで進展し、次に上記物質の無作為な加水分解、断片化が追随し、最後に、食細胞活動、拡散および代謝により達成される更に膨大な加水分解が追随する。上記物質の加水分解は、特定ポリマのサイズおよび親水性、ポリマの結晶度、および、周囲環境のｐＨおよび温度により影響される。
【００９６】
一実施例において分解時間は、たとえば低分子量のポリマ、更に親水性のポリマ、更に非晶質のポリマ、および、グリコリドが更に多い共重合体に対しては更に短くなり得る。故に、同一条件にて、５０／５０ＤＬ−ＰＬＧなどのＤＬラクチドおよびグリコリドの低分子量の共重合体は比較的に迅速に分解し得るが、Ｌ−ＰＬＡなどの更に高分子量のホモポリマは相当に低速で分解し得る。
【００９７】
上記ポリマが一旦加水分解されたなら、加水分解の生成物は代謝または分泌される。加水分解による分解により生成されたＰＬＡなどの乳酸は、トリカルボン酸サイクルに組み込まれ得ると共に、二酸化炭素および水として分泌され得る。ＰＧＡはまた、非特異的な酵素加水分解に伴う無作為な加水分解により破壊されることでグリコール酸となり得るが、これは、分泌され、または、他の代謝種へと酵素的に変換され得る。
【００９８】
別実施例において上記被覆組成物は、最終組成物の約０．５〜約９９％の量のエチレン酢酸ビニル（ＥＶＡＣ）、ポリブチル・メタクリレート（ＰＢＭＡ）およびメチルメタクリレート（ＭＭＡ）などの非吸収性ポリマを備える。ＥＶＡＣ、ＰＢＭＡまたはメチルメタクリレートを加えると、上記デバイスが更に塑性変形し得る様に、上記基質の展性が更に増大され得る。また上記被覆にメチルメタクリレートを加えると、該被覆の分解が遅延され得ることから、医薬物質が更に低速で放出される様に上記被覆の徐放が改善され得る。
【００９９】
上記医療デバイスに対する被覆は、標準的な技術を用いて該医療デバイスに対し適用されることで、薬剤および基質の均一混合物の単一層として、または、ドット・マトリクス・パターンにて、該デバイスの表面全体を覆い得る。上記基質および／または基質／薬剤組成物が単一層または複数層として適用される実施例において、基質または組成物は、約０．１μｍ〜約１５０μｍ、または、約１μｍ〜約１００μｍの厚さで適用される。代替的に、この厚さ範囲で上記デバイスの表面上には、基質／薬剤組成物の複数層が適用され得る。たとえば、ポリマ基質により分離され得るという各層毎にひとつの薬剤として一度に特定の薬剤が放出され得る様に、医療デバイスの表面上には種々の医薬物質の複数層が堆積され得る。上記組成物の有効成分または医薬物質成分は、該組成物の約１％〜約６０％（ｗ／ｗ）の範囲とされ得る。植設された場合に被覆組成物が近傍組織に接触すると、該被覆は制御様式で分解を開始し得る。被覆が分解するにつれ、薬剤は近傍組織へと徐々に放出されると共に、該薬剤は該薬剤がその効果を局所的に有し得る様に上記デバイスから溶出される。これに加え、上記デバイスと共に用いられるポリマはチャネルの格子を形成することから、上記薬剤は該デバイスの植設時に上記チャネルから徐々に放出され得る。被覆済み医療デバイスは、患者の全身には影響せずに周囲組織に対して薬剤を供与する優れた局所的メカニズムを提供する。上記被覆基質におけるチャネルを介した薬剤溶出および該基質の分解は、一旦植設されたなら医療デバイスの表面から薬剤が約１週間〜約１年の概略期間に亙り溶出し得る様に達成され得る。上記薬剤は、薬剤濃度が低いときには侵食ならびに拡散により溶出し得る。薬剤の濃度が高いと、薬剤は被覆基質におけるチャネルを介して溶出し得る。
【０１００】
本発明の医薬物質は、アテローム性動脈硬化症および再狭窄などの血管疾患の治療において用いられる薬剤を含む。たとえば上記医薬物質としては、限定的なものとしてで無く、抗生物質／抗菌薬、増殖抑制因子、抗新生物剤、抗酸化剤、内皮細胞成長因子、トロンビン抑制因子、免疫抑制薬、抗血小板凝集剤、コラーゲン合成抑制因子、治療用抗体、窒素酸化物供与体、アンチセンス・オリゴヌクレオチド、創傷治療剤、治療用遺伝子導入構造、ペプチド、蛋白質、細胞外基質成分、血管拡張剤、血栓溶解剤、代謝拮抗物質、成長因子作用薬、抗有糸分裂剤、スタチン、ステロイド、ステロイド系および非ステロイド系の抗炎症剤、アンギオテンシン転換酵素（ＡＣＥ）抑制因子、遊離基捕捉剤、ＰＰＡＲガンマ作用薬、アロマターゼ抑制因子の如き抗ガン化学治療物質が挙げられる。上述の医薬物質の幾つかとしては、たとえば、シクロスポリンＡ（ＣＳＡ）、ラパミシン、ラパミシン誘導体、ミコフェノール酸（ＭＰＡ）、レチノイン酸、ｎ−酪酸、酪酸誘導体、ビタミンＥ、プロブコール、Ｌ−アルギニン−Ｌ−グルタミン酸塩、エベロリムス、シロリムス、ビオリムス、ビオリムスＡ−９、パクリタキセル、プエラリン、血小板因子４、塩基性繊維芽細胞成長因子（ｂＦＧＦ）、フィブロネクチン、シムバスタチン、フルバスタチン、ジヒドロエピアンドロステロン（ＤＨＥＡ）、および、１７β−エストラジオールが挙げられる。
【０１０１】
図１乃至図１０は、本発明の医療デバイスの被覆の種々の実施例の概略表示を示している。上記医療デバイス上の被覆は、該デバイスの管腔側表面上において機能的内皮細胞の融合層の形成を促進する生体適合性基質と、過剰な内膜平滑筋細胞過形成を抑制することで再狭窄および血栓症を防止する医薬物質とを備えている。一実施例において上記基質は、上記医療デバイスに対する内皮細胞、前駆細胞または幹細胞の付着を促進する抗体などの少なくとも一種類の分子の治療的有効量である合成材料または天然材料と、近傍組織に対する供与のためのラパマイシン、ラパマイシン誘導体、および／または、エストラジオールなどの少なくとも一種類の化合物とを備える。上記デバイスの植設時に、該デバイスの表面に付着する細胞は、該医療デバイスの管腔側表面上で成熟した融合性である内皮の機能層へと形質転換する。上記医療デバイス上に内皮細胞の融合層が存在すると、植設の部位における再狭窄および血栓症の発生頻度は低減され得る。
【０１０２】
本明細書中で用いられる如く“医療デバイス”とは、病状の予防処置または治療のために哺乳動物の体内に一時的もしくは永続的に導入されるデバイスを指す。これらのデバイスとしては、動脈、静脈、心臓の心室または心房などの、器官内、組織内または器官の内腔内に着座すべく皮下的、経皮的または手術的に導入される任意のデバイスが挙げられる。医療デバイスとしては、ステント、ステント・グラフト、ポリテトラフルオロエチレン（ＰＴＦＥ）、発泡ポリテトラフルオロエチレン（ｅＰＴＦＥ）によりカバーされたステントなどのカバー付きステント、または、合成血管グラフト、人工心臓弁、人工心臓、および、血管循環系に対して人工器官を接続する固定具、静脈弁、腹部大動脈瘤（ＡＡＡ）グラフト、下大動脈フィルタ、永続的薬剤注入カテーテル、塞栓用コイル、血管塞栓で使用される塞栓用物質（たとえば架橋ＰＶＡヒドロゲル）、血管縫合糸、血管吻合用固定具、経心筋層血管再生用ステントおよび／または他の管路が挙げられる。一実施例において上記ステントは、生分解可能材料から作成され得る。
【０１０３】
上記組成物による医療デバイスの被覆および方法によれば、該医療デバイスの表面上における融合性内皮細胞単層の進展が刺激され得ると共に、医療デバイスの植設の間における血管損傷から帰着する局所的な慢性的炎症性反応および他の血栓塞栓症合併症が調整され得る。
【０１０４】
本明細書中で用いられる如く“抗体”という語句は、モノクローナル、ポリクローナル、ヒト化もしくはキメラ抗体などの一種類の抗体を指し、その場合にモノクローナル、ポリクローナル、ヒト化もしくはキメラ抗体は、目標細胞の表面上におけるひとつの抗原、または、その抗原の機能的同等物、または、他の構造に対して結合する親和力および特異性を有する。また抗体断片という語句は、Ｆａｂ、Ｆ（ａｂ‘）２などの抗体の任意の断片を包含すると共に、抗体として同一の結果もしくは効果を有する任意のサイズの、すなわち更に大寸もしくは小寸の分子とされ得る。（抗体とは、１モルの抗体当たりで６．０２２×１０２３個の分子に等しい複数種の個別抗体分子を包含する。）
【０１０５】
本発明のひとつの見地において本発明のステントまたは合成グラフトは、医療デバイスに対する循環前駆内皮細胞の付着力を調整する抗体を備える生体適合性で徐放される基質により被覆される。本発明の抗体は、循環血液中における前駆内皮細胞がデバイスの表面上に固定化される様に、前駆内皮細胞の表面の抗原を認識して該抗原に対し高い親和力および特異性を以て結合する。一実施例において上記抗体は、血管内皮成長因子受容体−１、−２および−３（ＶＥＧＦＲ−１、ＶＥＧＦＲ−２およびＶＥＧＦＲ−３、および、ＶＥＧＦＲ受容体群のイソ型）、Ｔｉｅ−１、Ｔｉｅ２、ＣＤ３４、Ｔｈｙ−１、Ｔｈｙ−２、Ｍｕｃ−１８（ＣＤ１４６）、ＣＤ３０、幹細胞抗原−１（Ｓｃａ−１）、幹細胞因子（ＳＣＦまたはｃ−Ｋｉｔ配位子）、ＣＤ１３３抗原、ＶＥ−カドヘリン、Ｐ１Ｈ１２、ＴＥＫ、ＣＤ３１、Ａｎｇ−１、Ａｎｇ−２、または、前駆内皮細胞の表面上に発現した抗原などの、前駆内皮細胞の表面抗原、または、前駆細胞もしくは幹細胞の表面抗原と反応する（認識して結合する）モノクローナル抗体から成る。一実施例においては、ひとつの抗原と反応する単一種類の抗体が使用され得る。代替的に、異なる前駆内皮細胞の表面抗原に対して企図された複数の異なる種類の抗体が相互に混合されて上記基質に加えられ得る。別実施例においては複数のモノクローナル抗体の混合物が使用され、特定の細胞表面抗原を目標限定することにより、上皮形成の速度が増大される。本発明のこの側面においては、たとえば抗ＣＤ３４および抗ＣＤ１３３が組み合わせて使用されると共に、ステントまたはグラフト上の基質の表面に対して付着される。
【０１０６】
本明細書中で用いられる如く、“治療的有効量の抗体”とは、医療デバイスに対する内皮細胞、前駆細胞または幹細胞の付着を促進する量の抗体を意味する。本発明を実施するために必要な抗体の量は、使用される抗体の性質により変化する。たとえば、用いられる抗体の量は、その抗体と、それが反応する抗原との間の結合定数に依存する。当業者であれば、特定の抗原と共に使用する治療的有効量の抗体を決定する方法は公知であろう。
【０１０７】
本明細書中で用いられる如く“内膜過形成”とは、平滑筋細胞の増殖が不都合に増加して血管壁に基質が堆積することである。また本明細書中で用いられる如く“再狭窄”とは、血管内腔の再発的狭幅化を指している。再狭窄によれば、血管は閉塞され得る。ＰＴＣＡまたはＰＴＡの後、通常は内膜内に存在しない中膜および外膜からの平滑筋細胞が増殖すると共に内膜へと移動して蛋白質を分泌し、内膜内に平滑筋細胞および基質蛋白質の蓄積物を形成する。この蓄積物は動脈の内腔の狭幅化を引き起こし、該狭幅部の遠位に対する血液流を低減する。本明細書中で用いられる如く“再狭窄の抑制”とは、再狭窄およびそれから生ずる合併症を防止すべく蛋白質分泌の防止に伴い、平滑筋細胞の移動および増殖を抑制することを指している。
【０１０８】
本発明の医療デバイス、方法および組成物を用いて治療され得る対象体は哺乳動物であり、人間、馬、犬、猫、豚、齧歯（げっし）動物、猿などが挙げられる。
【０１０９】
“前駆内皮細胞”という語句は、成熟細胞、機能的内皮細胞へと分化する可能性を有する一切の系統の細胞を包含する。たとえば前駆内皮細胞は、骨髄、血液または局所的組織に由来すると共に遺伝子的に改変された非悪性細胞である内皮細胞であって、前駆細胞または幹細胞から、成熟した機能的上皮細胞に至る任意の発育段階における内皮細胞を指す。
【０１１０】
被覆済み医療デバイスの試験管内研究または使用に対し、動脈または人間の臍帯静脈などの静脈からは完全に分化した内皮細胞が分離され得る一方、末梢血または骨髄からは前駆内皮細胞が分離される。内皮細胞は、抗体、成長因子、または、内皮細胞に付着する他の作用物質を取入れた基質により医療デバイスを被覆し、該内皮細胞を温置することにより、上記医療デバイスに対して結合される。別実施例において内皮細胞は、形質転換内皮細胞とされ得る。形質転換内皮細胞は、血栓症、平滑筋細胞移動、再狭窄、または、他の一切の治療的結果を抑制する成長因子または蛋白質を発現するベクタを含む。
【０１１１】
本明細書に示される血管疾患の治療方法は、任意の動脈または静脈に関して実施され得る。本発明の有効範囲内には、冠状動脈、鼠径下部動脈、大動脈回腸動脈、鎖骨下部動脈、腸間膜動脈および腎動脈が含まれる。本発明によれば、解離性動脈瘤から帰着するなどの他の種類の血管障害も包含される。
【０１１２】
血管疾患がある哺乳動物を治療する上記方法は、たとえば血管形成手術の間における被覆済みステントの場合などにおいて患者の器官もしくは血管内に被覆済み医療デバイスを植設する段階を備える。一旦原位置とされたなら、被覆上に存在する抗体により前駆細胞表面上の抗原が認識されて結合されることから、被覆済みステントの表面上には前駆内皮細胞が捕捉される。上記基質に対して前駆細胞が一旦付着されたなら、上記被覆上の成長因子は新たに結合した前駆内皮細胞が成長かつ分化してステントの管腔側表面上に融合性で成熟した機能的内皮を形成することを促進する。代替的に上記医療デバイスはその植設の前に、患者の血液、骨髄または血管から分離された前駆細胞、幹細胞または成熟内皮細胞を用いて、試験管内で内皮細胞により被覆される。いずれの場合でも、医療デバイスの管腔側表面上に内皮細胞が存在すると、過剰な内膜過形成および血栓症が抑制または防止される。
【０１１３】
ヒト臍帯静脈内皮細胞（ＨＵＶＥＣ）は、言及したことにより本明細書中に援用されるジャッフェ等の雑誌“臨床研究”、１９７３年、第５２巻、２７４５−２７５７頁（Ｊａｆｆｅ，  ｅｔ  ａｌ．，  Ｊ．  Ｃｌｉｎ．  Ｉｎｖｅｓｔ．，  ５２：２７４５−２７５７，  １９７３）の方法に従い臍帯から獲得され、実験で使用された。簡潔には、コラゲナーゼによる処理により血管壁から細胞が剥離されると共に、該細胞は、ゼラチン被覆された組織培養フラスコ内で、１０％の低エンドトキシン胎児子牛血清と、９０μｇ／ｍｌの防腐剤なし豚ヘパリンと、２０μｇ／ｍｌの内皮細胞成長補助栄養（ＥＣＧＳ）と、グルタミンとを含むＭ１９９培地において培養される。
【０１１４】
前駆内皮細胞（ＥＰＣ）は、アサハラ等（“血管新生に対する推定前駆内皮細胞の分離”、サイエンス、１９９７年、第２７５巻、９６４〜９６７頁［Ｉｓｏｌａｔｉｏｎ  ｏｆ  ｐｕｔａｔｉｖｅ  ｐｒｏｇｅｎｉｔｏｒ  ｅｎｄｏｔｈｅｌｉａｌ  ｃｅｌｌｓ  ｆｏｒ  ａｎｇｉｏｇｅｎｅｓｉｓ．  Ｓｃｉｅｎｃｅ  ２７５：９６４−９６７，  １９９７］、言及したことにより本明細書中に援用される）の方法に従い、人間の末梢血から分離される。ＣＤ３４に対する抗体で被覆された磁性ビーズは、分画された人間の末梢血と共に温置される。温置の後、結合した細胞は溶出されると共に、ＥＢＭ−２培養培地（カリフォルニア州、サンディエゴのクローンティクス社（Ｃｌｏｎｅｔｉｃｓ））において培養され得る。代替的に、これらの細胞を分離すべく富化培地分離が使用され得る。簡潔には、末梢静脈血は健康な男性ボランティアから採取されて密度勾配遠心分離により単核細胞画分が分離され、且つ、該細胞は、５％の胎児牛血清、ヒトＶＥＧＦ−Ａ、ヒト繊維芽細胞成長因子２、ヒト表皮成長因子、インスリン状成長因子１およびアスコルビン酸が追加されたＥＣ塩基培地２（ＥＢＭ−２）（クローンティクス社）内でフィブロネクチンが被覆された培養スライド（ベクトン・ディキンソン社（Ｂｅｃｔｏｎ  Ｄｉｃｋｉｎｓｏｎ））上に塗付された。ＥＰＣは、培養培地を４８時間毎に交換して７日間に亙り成長される。各細胞は、ＣＤ１３３、ＣＤ４５、ＣＤ３４、ＣＤ３１、ＶＥＧＦＲ−２およびＥセレクチンに対する蛍光抗体により特徴付けられた。
【０１１５】
本明細書中で用いられる如く“配位子”とは、循環する内皮細胞および／または前駆細胞上の受容体分子などの細胞膜構造に結合する分子を指す。たとえば配位子は、抗体、抗体断片、ペプチドなどの小寸分子、細胞付着分子、基底膜成分、または、それらの組み合わせとされ得る。抗体を用いる実施例において抗体は、細胞の細胞膜上の細胞表面受容体などの特定エピトープまたは構造を認識して結合する。
【０１１６】
一実施例において抗体はモノクローナル抗体であると共に、キューラおよびミルシュタイン（Ｋｏｈｌｅｒ  ａｎｄ  Ｍｉｌｓｔｅｉｎ）の標準技術（言及したことにより本明細書中に援用される“所定特異性の融合細胞分泌抗体の連続培養”、ネーチャー、第２６５巻、４９５〜４９７頁、１９７５年［Ｃｏｎｔｉｎｕｏｕｓ  ｃｕｌｔｕｒｅｓ  ｏｆ  ｆｕｓｅｄ  ｃｅｌｌｓ  ｓｅｃｒｅｔｉｎｇ  ａｎｔｉｂｏｄｙ  ｏｆ  ｐｒｅｄｅｆｉｎｅｄ  ｓｐｅｃｉｆｉｃｉｔｙ．  Ｎａｔｕｒｅ  ２６５：４９５−４９７，  １９７５］）に従い生成され得るか、または、市販供給源から獲得され得る。内皮細胞は免疫原として使用されることで、内皮細胞表面抗原に対して指向されたモノクローナル抗体を生成し得る。
【０１１７】
本発明のこの側面において、内皮細胞に指向されたモノクローナル抗体は、ＨＵＶＥＣまたは精製された前駆内皮細胞をマウスまたはラットに注入することにより調製され得る。十分な時間の後、マウスは犠牲とされて脾臓細胞が獲得される。脾臓細胞は、概略的にはたとえばポリエチレングリコールなどの非イオン性界面活性剤の存在下で、骨髄腫細胞またはリンパ腫細胞と共に融合されることで不死化される。融合ハイブリドーマを含む結果的な細胞は、ＨＡＴ培地などの選択的培地において成長が許容されると共に、生き残り細胞は、限界希釈条件を用いて斯かる培地で成長される。上記細胞はたとえば微量滴定ウェルなどの適切な容器内で成長され、且つ、上澄みは、所望の特異性すなわち内皮細胞抗原に対する反応性を有するモノクローナル抗体に対してスクリーニングされる。
【０１１８】
モノクローナル抗体の歩留まりを増進すべく、細胞を受け入れる哺乳動物ホストの腹膜腔内にハイブリドーマ細胞を注入するなどの種々の技術が存在する。腹水液に不十分な量のモノクローナル抗体が溜まる場合、抗体はホストの血液から収穫される。他の蛋白質および他の汚染物質からモノクローナル抗体を遊離すべくモノクローナル抗体を分離かつ精製する習用の種々の手法が存在する。
【０１１９】
本発明の有効範囲には、これらのモノクローナル抗体のＦａｂ、Ｆ（ａｂ’）２などの抗内皮細胞モノクローナル抗体の有用な結合断片も含まれる。抗体断片は、習用技術により獲得される。たとえば有用な結合断片は、パパインまたはペプシンを用いて抗体をペプチターゼ消化することで調製され得る。
【０１２０】
本発明の抗体はネズミ供給源からのＩｇＧクラスの抗体に指向され得るが、これは限定を意味するものではない。ネズミ供給源、ヒトを含む哺乳動物供給源、または、他の供給源、または、それらの組み合わせのいずれからであれ、上記の抗体、および、該抗体と機能的等価性を有する抗体、ならびに、ＩｇＭ、ＩｇＡ、ＩｇＥなどの他のクラス内のイソタイプを含め斯かるクラスは、本発明の有効範囲内に含まれる。抗体の場合に“機能的等価性”という語句は、２つの異なる抗体が各々、抗原上の同一の抗原決定部位に結合すること、換言すると、これらの抗体が同一抗原に対する結合を競うことを意味する。抗原とは、同一のまたは異なる分子上とされ得る。一実施例において、内皮細胞表面の抗原に対して高い親和力および特異性をもって反応するモノクローナル抗体であって、たとえばＣＤ１３３、ＣＤ４５、ＣＤ３４、ＣＤ３１、ＣＤ１４、ＣＤｗ９０、ＣＤ１１７、ＶＥＧＦＲ−１、ＶＥＧＦＲ−２、Ｍｕｃ−１８（ＣＤ１４６）、ＣＤ１３０、幹細胞抗原（Ｓｃａ−１）、幹細胞因子１（ＳＣＦ／ｃ−Ｋｉｔ配位子）、Ｔｉｅ−２、Ｈ−２ＫｋなどのＭＨＣ、および、ＨＬＡ−ＤＲ抗原などの抗体は、配位子として適切である。
【０１２１】
ＣＤ３４および／またはＣＤ１３３が使用される。固形担体に取付けられた抗ＣＤ３４モノクローナル抗体は、ヒト末梢血から前駆内皮細胞を捕捉することが示されている。捕捉の後、これらの前駆細胞は内皮細胞へと分化し得る。（アサハラ等、“血管新生に対する推定前駆内皮細胞の分離”、サイエンス、１９９７年、第２７５巻、９６４〜９６７頁。）ＣＤ３４に対して指向されたハイブリドーマ生成モノクローナル抗体は、米国細胞バンク（Ａｍｅｒｉｃａｎ  Ｔｙｐｅ  Ｔｉｓｓｕｅ  Ｃｏｌｌｅｃｔｉｏｎ）（メリーランド州、ロックビル）から獲得され得る。別実施例においては、ＶＥＧＦＲ−１およびＶＥＧＦＲ−２、ＣＤ１３３またはＴｉｅ−２などの内皮細胞表面抗原と反応するモノクローナル抗体が使用される。遺伝子的に改変された細胞を用いる実施例において、抗体は、上述と同一様式の標準的技術を用いて遺伝子的に設計された遺伝子産物に対して生成されてから、基質適用に続いて医療デバイスの血液接触表面に適用される。
【０１２２】
医療デバイス植設を受けるのと同一の種から分離された内皮細胞に対して反応するポリクローナル抗体も使用され得る。
【０１２３】
本明細書における“ステント”という語句は、血管の内腔内に挿入もしくは植設されたときに血管の断面内腔を拡開させる任意の医療デバイスを意味する。また“ステント”という語句は、ステンレス鋼ステントに限られず、本発明の方法により被覆され市販の生分解可能ステント、ＰＴＦＥまたはｅＰＴＦＥでカバーされたステントなどのカバー付きステントを含む。一実施例においてこれは、冠状動脈閉塞を治療すべく又は脾臓血管、頚動脈、腸骨血管および膝窩血管の解離または動脈瘤をシールすべく経皮的に投入されるステントを含む。別実施例においてステントは、静脈血管内へと投入される。ステントは、医薬物質を備える基質である生体侵食性、生分解可能、生体適合性のポリマと、抗体などの配位子とが適用されるというポリマ性または金属的の構造要素から成り得るか、または、ステントはポリマと相互混合された基質の複合材料とされ得る。たとえば、言及したことにより本明細書中に援用されるというウィクトルに対する米国特許第４，８８６，０６２号に開示された如き変形可能な金属ワイヤ・ステントが使用され得る。また、言及したことにより本明細書中に援用されると共に“腔内薬剤溶出プロテーゼ”と称された国際公開公報ＷＯ９１／１２７７９に開示された如き弾性ポリマ材料製の自己拡開性ステントも使用され得る。ステントはまた、ステンレス鋼、ポリマ、ニッケル−チタン、タンタル、金、白金−イリジウム、または、エルジロイおよびＭＰ３５Ｎおよび他の鉄系材料を用いて製造されても良い。ステントはカテーテル上で体腔を通して治療部位へと投入され、其処でステントはカテーテルから解放されることで、血管の内腔壁と直接接触すべく拡開され得る。別実施例においてステントは、生分解可能ステントから成る（ピーダブリュ・セルイスおよびエムジェービー・クツリック、マーティン・ダニス編、冠状動脈ステント便覧（２０００年）、第２９７頁、エイチ・タマイ［Ｈ．  Ｔａｍａｉ，  ｐｐ  ２９７  ｉｎ  ＨａｎｄｂｏｏＫ  ｏｆ  Ｃｏｒｏｎａｒｙ＿Ｓｔｅｎｔｓ＿３ｒｄ＿Ｅｄｉｔｉｏｎ，  Ｅｄｓ．  ＰＷ  Ｓｅｒｒｕｙｓ  ａｎｄ  ＭＪＢ  Ｋｕｔｒｙｋ，  Ｍａｒｔｉｎ  Ｄｕｎｉｔｚ  （２０００）］）。当業者であれば、本発明の抗体、成長因子および基質と共に（弾性金属ステント設計態様などの）他の自己拡開性ステント設計態様が使用され得ることは明らかであろう。
【０１２４】
“合成グラフト”という語句は、生体適合特性を有する任意の人工プロテーゼを意味する。一実施例において合成グラフトは、ポリエチレン・テレフタレート（Ｄａｃｒｏｎ（登録商標）、ＰＥＴ）またはポリテトラフルオロエチレン（Ｔｅｆｌｏｎ（登録商標）、ｅＰＴＦＥ）から作成され得る。別実施例において合成グラフトは、たとえば、ポリウレタン、架橋ＰＶＡヒドロゲルおよび／またはヒドロゲルの生体適合性発泡体から成る。更に第３の実施例において合成グラフトは、メッシュ状とされたポリカーボネートウレタンの内側層と、メッシュ状とされたポリエチレン・テレフタレートの外側層から成る。当業者であれば、本発明の基質、医薬物質および配位子と共に任意の生体適合性の合成グラフトが使用され得ることは明らかであろう。（言及したことにより本明細書中に援用されるボス等の“小径の血管グラフト・プロテーゼ：現況”、物理生化学文書、１９９８年、第１０６巻、１００−１１５頁［Ｂｏｓ  ｅｔ  ａｌ．  １９９８．  Ｓｍａｌｌ−Ｄｉａｍｅｔｅｒ  Ｖａｓｃｕｌａｒ  Ｇｒａｆｔ  Ｐｒｏｓｔｈｅｓｅｓ：  Ｃｕｒｒｅｎｔ  Ｓｔａｔｕｓ  Ａｒｃｈｉｖｅｓ  Ｐｈｙｓｉｏ．  Ｂｉｏｃｈｅｍ．  １０６：１００−１１５］。）合成グラフトはたとえば腹部大動脈瘤デバイスとして、血管の端部／端部、端部／側部、側部／端部、側部／側部もしくは腔内および吻合に対してまたは疾患血管セグメントのバイパスに対して使用され得る。
【０１２５】
一実施例において上記基質は更に、コラーゲン、フィブロネクチン、ビトロネクチン、エラスチン、ラミニン、ヘパリン、フィブリン、セルロースなどの天然の物質、または、カーボンもしくは合成材料から成り得る。上記基質に対する主要な要件は、該基質が、周囲組織に対して露出されたステントまたは合成グラフトの表面上で非裂開のまま維持されるべく、十分に弾性的かつ撓曲可能なことである。
【０１２６】
ステントなどの医療デバイスを被覆するために、該ステントは、たとえば中程度の粘度の基質の液体溶液に浸漬され又はそれにより噴射され得る。各層が塗付された後、上記ステントは次の層が塗付される前に乾燥される。一実施例においては、薄寸で塗料状の基質被覆は約１００ミクロンの全厚を超えない。
【０１２７】
一実施例においては、先ずステント表面が官能化されてから、基質層が追随する。その後、薬剤物質を備える上記基質の表面に対して抗体が結合される。本発明のこの側面において上記ステント表面の技術は、官能的である化学基を生成する。その場合にアミンなどの化学基は、ペプチドおよび抗体などの配位子に対する支持部の役割を果たす基質の中間層を固定化すべく使用される。
【０１２８】
別実施例においては、無菌状態下で３ミリリットル（ｍｌ）のクロロホルムに対して（ドイツ、インゲルハイムのベーリンガ社［Ｂｏｅｈｒｉｎｇｅｒ  Ｉｎｃ．，  Ｉｎｇｅｌｈｅｉｍ，  Ｇｅｒｍａｎｙ］からＲ２０３として入手可能な）ポリＤ，Ｌラクチドなどの薬剤担体を４８０ミリグラム（ｍｇ）溶解することで、適切な基質被覆用溶液が調製される。但し基本的には、血液および組織に適合する（生体適合性である）と共に溶解、分散または乳化され得る任意の生分解可能な（または生分解可能でない）基質が塗付の後で比較的に迅速に乾燥されることで医療デバイス上で自己接着性のラッカーまたは塗料状の被覆となるのであれば、該基質は基質として使用され得る。
【０１２９】
障壁層は、たとえば噴射、浸漬もしくは化学蒸発技術により医療デバイス上へ又は適切な箇所へと、該医療デバイスに対して医薬物質および／または基質の層が適用されるのと同様の技術により、被覆に対して適用される。一実施例において、上記障壁層は医薬組成物の各層間に適用され得る。別実施例において障壁層は、配位子層を適用する前に、デバイスの最外側表面上に適用され得る。上記障壁層はまた医薬物質の遅延供与を決定し得る種々の厚みでも適用可能であり、たとえば、層が厚寸であるほど、医薬物質を供与する上での時的遅延は長くなる。上記障壁層の厚みは、患者の要求内容に依存して決定され得る。この実施例において医薬物質は、必要と見積もられた時点において当該部位にて供与され得る。
【０１３０】
基質に対する配位子としての抗体の適用−前駆内皮細胞の付着を促進する抗体が、共有結合または非共有結合で基質内に取入れられる。抗体は、該抗体を基質被覆溶液と混合してからその混合物をデバイスの表面に塗付することにより、基質層に取入れられ得る。概略的に抗体は、デバイスの管腔側表面上に適用された基質の最外側層の表面に対して付着されることから、該抗体は循環血液に接触する表面上に突出する。たとえば、抗体、および、成長因子を含むペプチドなどの他の化合物が、標準的技術を用いて表面基質に対して適用され得る。
【０１３１】
一実施例において抗体は、基質を含む溶液に加えられる。たとえば、抗ＣＤ３４モノクローナル抗体上のＦａｂ断片が、５００〜８００ｍｇ／ｄｌの濃度のヒト・フィブリノゲンを含む溶液と共に温置される。抗ＣＤ３４Ｆａｂ断片の濃度は変更されること、および、当業者であれば不当な実験なしで最適な濃度を決定し得ることは理解される。Ｆａｂ／フィブリン混合物に対してはステントが加えられると共に、（少なくとも１，０００Ｕ／ｍｌの濃度の）濃縮トロンビンの添加によりフィブリンが活性化される。基質に対して直接的に取入れられたＦａｂ断片を含む結果的な重合フィブリン混合物は加圧され、ステントまたは合成グラフトの表面上の（１００μｍ未満の）薄膜となる。この様にして、ステントまたは合成グラフトの被覆に先立ち、実質的に任意の種類の抗体または抗体断片が基質溶液に取入れられ得る。
【０１３２】
たとえば別実施例においては、抗体断片ありでまたは無しで、全抗体が、基質に対して共有結合で結合され得る。一実施例においては、抗体、および、たとえば成長因子の如きペプチドが、ヘテロまたはホモ二官能性リンカ分子を用いて基質に対し共有結合的に束縛される。本明細書中で用いられる如く、“束縛される”という語句は、基質に対するリンカ分子による抗体の共有結合を指している。本発明に関するリンカ分子の使用は典型的に、基質がステントに付着された後に該基質に対してリンカ分子を共有結合させる段階を含む。上記基質に対する共有結合の後、リンカ分子は基質に対し、一種類以上の抗体に対して共有結合すべく使用され得る多数の官能的活性基を提供する。この実施例の一例において、図１Ａは、架橋分子を介した結合の図示を提供する。内皮細胞１．０１は、細胞表面抗原１．０２により抗体１．０３に対して結合する。上記抗体は、架橋分子１．０４により基質１．０５−１．０６に束縛される。基質１．０５−１．０６はステント１．０７に対して付着する。上記リンカ分子は基質に対し、直接的に（すなわちカルボキシル基を介して）、または、エステル化、アミド化およびアシル化などの公知の結合化学作用を介して結合され得る。上記リンカ分子は、アミド結合の直接的形成を介して基質に対し結合されるジアミンまたはトリアミン官能化合物とされ得ると共に、抗体との反応に利用可能なアミン官能基を提供する。たとえば上記リンカ分子は、ポリエチレンイミン（ＰＥＩ）、ポリアリルアミン（ＰＡＬＬＡ）またはポリエチレングリコール（ＰＥＧ）などのポリアミン官能ポリマとされ得る。アラバマ州、バーミンガムのシアウォータ社（Ｓｈｅａｒｗａｔｅｒ  Ｃｏｒｐｏｒａｔｉｏｎ，  Ｂｉｒｍｉｎｇｈａｍ，  Ａｌａｂａｍａ）からは、共有結合に対するプロトコルと共に、たとえばｍＰＥＧ−スクシンイミジルプロピオン酸またはｍＰＥＧ−Ｎ−ヒドロキシスクシンイミドなどの種々のＰＥＧ誘導体が市販されている。（言及したことにより本明細書中に援用されるというウィーナ等の“固定化された抗体による抗原捕捉に関するポリエチレングリコール・スペーサの影響”、雑誌“生化学、生物物理方法”、第４５巻、２１１〜２１９頁（２０００年）［Ｗｅｉｎｅｒ  ｅｔ  ａｌ．，  Ｉｎｆｌｕｅｎｃｅ  ｏｆ  ａ  ｐｏｌｙ−ｅｔｈｙｌｅｎｅｇｌｙｃｏｌ  ｓｐａｃｅｒ  ｏｎ  ａｎｔｉｇｅｎ  ｃａｐｔｕｒｅ  ｂｙ  ｉｍｍｏｂｉｌｉｚｅｄ  ａｎｔｉｂｏｄｉｅｓ．  Ｊ．  Ｂｉｏｃｈｅｍ．  Ｂｉｏｐｈｙｓ．  Ｍｅｔｈｏｄｓ  ４５：２１１−２１９  （２０００）］も参照されたい。）特定の結合物質の選択は使用される抗体の種類に依存し得ると共に、斯かる選択は不当な実験なしで為され得ることは理解される。これらのポリマの混合物も使用され得る。これらの分子は、一種類以上の抗体、ペプチド、蛋白質、ホルモン、および、他の被覆成分を表面固定化すべく使用され得る複数の垂下アミン官能基を含む。
【０１３３】
小寸分子は、抗体もしくはその断片の代わりに又は抗体もしくは抗体断片と組み合わせて使用され得るという合成または天然の分子もしくはペプチドから成り得る。たとえばレクチンは、天然の非免疫由来の糖結合ペプチドである。内皮細胞特異的レクチン抗原（Ｕｌｅｘ  Ｅｕｒｏｐａｅｕｓ  Ｕｅａ  １）（シャッツ等の“ヒト子宮内膜内皮細胞：組織因子およびタイプ１プラスミノゲン活性化因子抑制因子の分離、特徴付けおよび炎症媒介発現”、生物再生、２０００年、第６２巻、６９１〜６９７頁［Ｓｃｈａｔｚ  ｅｔ  ａｌ．  ２０００  Ｈｕｍａｎ  Ｅｎｄｏｍｅｔｒｉａｌ  Ｅｎｄｏｔｈｅｌｉａｌ  Ｃｅｌｌｓ：  Ｉｓｏｌａｔｉｏｎ，  Ｃｈａｒａｃｔｅｒｉｚａｔｉｏｎ，  ａｎｄ  Ｉｎｆｌａｍｍａｔｏｒｙ−Ｍｅｄｉａｔｅｄ  Ｅｘｐｒｅｓｓｉｏｎ  ｏｆ  Ｔｉｓｓｕｅ  Ｆａｃｔｏｒ  ａｎｄ  Ｔｙｐｅ  １  Ｐｌａｓｍｉｎｏｇｅｎ  Ａｃｔｉｖａｔｏｒ  Ｉｎｈｉｂｉｔｏｒ．  Ｂｉｏｌ  Ｒｅｏｒｏｄ  ６２：  ６９１−６９７］）は、前駆内皮細胞の細胞表面に対して選択的に結合し得る。
【０１３４】
合成“小寸分子”は、種々の細胞表面受容体を目標限定すべく生成された。これらの分子は特定の受容体に対して選択的に結合すると共に、前駆細胞または内皮細胞などの特定の細胞種類を目標限定し得る。小寸分子は、ＶＥＧＦなどの内皮細胞表面マーカを認識すべく合成され得る。たとえば、ＳＵ１１２４８（スーゲン社［Ｓｕｇｅｎ  Ｉｎｃ．］）（メンデル等の“ＳＵ１１２４８の生体内抗腫瘍活性、血管内皮成長因子受容体および血小板由来成長因子受容体を目標限定する新規なチロシンキナーゼ抑制因子：薬理学的反応速度／薬理学的動力学の関係”、臨床ガン研究、２００３年１月、第９（１）巻、３２７〜３７頁［Ｍｅｎｄｅｌ  ｅｔ  ａｌ．  ２００３  Ｉｎ  ｖｉｖｏ  ａｎｔｉｔｕｍｏｒ  ａｃｔｉｖｉｔｙ  ｏｆ  Ｓ１１２４８，  ａ  ｎｏｖｅｌ  ｔｙｒｏｓｉｎｅ  ｋｉｎａｓｅ  ｉｎｈｉｂｉｔｏｒ  ｔａｒｇｅｔｉｎｇ  ｖａｓｃｕｌａｒ  ｅｎｄｏｔｈｅｌｉａｌ  ｇｒｏｗｔｈ  ｆａｃｔｏｒ  ａｎｄ  ｐｌａｔｅｌｅｔ−ｄｅｒｉｖｅｄ  ｇｒｏｗｔｈ  ｆａｃｔｏｒ  ｒｅｃｅｐｔｏｒｓ：  ｄｅｔｅｒｍｉｎａｔｉｏｎ  ｏｆ  ａ  ｐｈａｒｍａｃｏｋｉｎｅｔｉｃ／ｐｈａｒｍａｃｏｄｙｎａｍｉｃ  ｒｅｌａｔｉｏｎｓｈｉｐ．  Ｃｌｉｎ  Ｃａｎｃｅｒ  Ｒｅｓ．  Ｊａｎ；９（１）：３２７−３７］）、ＰＴＫ７８７／ＺＫ２２２５８４（ドレブス等の“受容体チロシンキナーゼ：新たな抗ガン治療の主要目標”、現在の薬剤目標、２００３年２月、第４（２）巻、１１３〜２１頁［Ｄｒｅｖｓ  Ｊ．  ｅｔ  ａｌ．  ２００３  Ｒｅｃｅｐｔｏｒ  ｔｙｒｏｓｉｎｅ  ｋｉｎａｓｅｓ：  ｔｈｅ  ｍａｉｎ  ｔａｒｇｅｔｓ  ｆｏｒ  ｎｅｗ  ａｎｔｉｃａｎｃｅｒ  ｔｈｅｒａｐｙ．  Ｃｕｒｒ  Ｄｒｕｇ  Ｔａｒｇｅｔｓ．  Ｆｅｂ；４（２）：１１３−２１］）、および、ＳＵ６６６８（レアード・エーディー等の“ＳＵ６６６８はマウスの生体内でＦｌｋ−１／ＫＤＲおよびＰＤＧＦＲベータを抑制し腫瘍血管の迅速なアポトーシスおよび腫瘍の退化に帰着する”、雑誌ＦＡＳＥＢ、２００２年５月、第１６（７）巻、６８１〜９０頁［Ｌａｉｒｄ，  ＡＤ  ｅｔ  ａｌ．  ２００２  ＳＵ６６６８  ｉｎｈｉｂｉｔｓ  Ｆｌｋ−１／ＫＤＲ  ａｎｄ  ＰＤＧＦＲｂｅｔａ  ｉｎ  ｖｉｖｏ，  ｒｅｓｕｌｔｉｎｇ  ｉｎ  ｒａｐｉｄ  ａｐｏｐｔｏｓｉｓ  ｏｆ  ｔｕｍｏｒ  ｖａｓｃｕｌａｔｕｒｅ  ａｎｄ  ｔｕｍｏｒ  ｒｅｇｒｅｓｓｉｏｎ  ｉｎ  ｍｉｃｅ．  ＦＡＳＥＢ  Ｊ．  Ｍａｙ；１６（７）：６８１−９０］）は、ＶＥＧＦＲ−２に結合する小寸分子である。
【０１３５】
内皮細胞表面を目標限定する合成小寸分子の他の部分集合は、たとえば、アルファ（ｖ）ベータ（３）インテグリン抑制因子ＳＭ２５６およびＳＤ９８３（カール・ジェーエス等の“新規な小寸分子アルファｖインテグリン拮抗物質：公知の血管新生抑制因子と比較した抗ガン効力”、抗ガン研究、１９９９年３〜４月、第１９（２Ａ）巻、９５９〜６８頁［Ｋｅｒｒ  ＪＳ．  ｅｔ  ａｌ．  １９９９  Ｎｏｖｅｌ  ｓｍａｌｌ  ｍｏｌｅｃｕｌｅ  ａｌｐｈａ  Ｖ  ｉｎｔｅｇｒｉｎ  ａｎｔａｇｏｎｉｓｔｓ：  ｃｏｍｐａｒａｔｉｖｅ  ａｎｔｉ−ｃａｎｃｅｒ  ｅｆｆｉｃａｃｙ  ｗｉｔｈ  ｋｎｏｗｎ  ａｎｇｉｏｇｅｎｅｓｉｓ  ｉｎｈｉｂｉｔｏｒｓ．  Ａｎｔｉｃａｎｃｅｒ  Ｒｅｓ  Ｍａｒ−Ａｐｒ；１９（２Ａ）：９５９−６８］）である。ＳＭ２５６およびＳＤ９８３は両者ともに、内皮細胞の表面上に存在するアルファ（ｖ）ベータ（３）を目標限定して結合する合成分子である。
【０１３６】
本発明はまた、アテローム性動脈硬化症などの血管疾患を有する患者であって本発明の被覆済み医療デバイスにより治療を必要とする患者を治療する方法にも関する。上記方法は、上記治療を必要とする患者に対して本発明の被覆済み医療デバイスを植設する段階を備える。内皮細胞が遺伝子的に改変された実施例において、上記細胞は被覆デバイスの植設の部位にて患者に対し、上記デバイスの植設の後で血流内に該細胞を注入もしくは投与することで、提供され得る。本発明の方法は、生体内または試験管内で実施され得る。
【０１３７】
本発明の被覆は、浸漬、噴射、蒸着、注入状の、および／または、ドット・マトリクス状の手法などの当業界で利用可能な種々の技術を用いて適用され得る。たとえば図１Ａおよび図１Ｂは細胞捕捉および薬剤供与機構の単純パターンを示しており、その場合にステント・ストラット１００は、ストラット表面に対して適用された薬剤／ポリマ基質層１１０の連続被覆と、該薬剤／ポリマ組成物の頂部上の配位子層１２０とを備えて示される。図２Ａおよび図２Ｂは本発明の代替実施例を示し、その場合に薬剤／ポリマ層１１０は不連続層１３０であるが、薬剤／ポリマ基質組成物の量はたとえば図２Ａおよび図２Ｂに示されたよりも多い。
【０１３８】
図３Ａおよび図３Ｂは、薬剤／ポリマ層が不連続であるという代替実施例を示している。この実施例において薬剤／ポリマ組成物はデバイスの周囲の約３／４に対して適用されるが、層１１０の中央の１／３部分１４０は更に多くの量の薬剤組成物を備え、且つ、配位子層は薬剤／ポリマ層の頂部上に適用される。図４Ａ、図４Ｂおよび図４Ｃは、被覆の適用に関する更に別の実施例を示している。本発明のこの実施例において薬剤／ポリマ基質組成物は医療デバイス１００の表面の一部に対しドット・マトリクス状パターン１５０で適用される。図４Ａ乃至図４Ｃに見られる如く配位子層１２０は、薬剤／ポリマ組成物１１０を含めて医療デバイスの全周を囲繞して適用される。
【０１３９】
更に別の実施例において図５Ａおよび図５Ｂは、デバイス１００の表面１１０の小寸区画に集中された薬剤／ポリマ基質組成物に被覆された医療デバイス１００を示している。本発明のこの側面において配位子層１２０は、薬剤／ポリマ組成物１１０を含むデバイスの全周をカバーする。図６Ａ乃至図６Ｃは、配位子層１２０はデバイス１００の表面を覆うべく適用され且つ配位子層１２０の表面の一区画において薬剤／ポリマ基質組成物１５０がデバイス上に適用されるという代替実施例を示している。図７Ａ、図７Ｂおよび図７Ｃは代替実施例を示し、その場合にデバイスは、該デバイス１００の表面上の連続層１１０として適用された複数層の薬剤／ポリマ基質組成物１１０、１５０により覆われ得ると共に、配位子層１２０と、該配位子層１２０の表面上でドット・マトリクス状パターン１５０で付加的な薬剤／ポリマ基質不連続層とが追随する。
【０１４０】
図８Ａおよび図８Ｂには、付加的な代替実施例が示される。本発明のこの側面において、この場合はステント・ストラットである医療デバイスは配位子層１２０により被覆され、且つ、ドット・マトリクス・パターン１５０の薬剤／ポリマ基質層は上記配位子層の頂部上（図８Ａ）または配位子層の下側（図８Ｂ）にてデバイスに対し部分的に適用され得る。
【０１４１】
図９Ａ乃至図９Ｃおよび図１０Ａ乃至図１０Ｂは、本発明の他の実施例を断面で示している。図９Ａ乃至図９Ｃに見られる如く、抗体などの配位子は被覆済み医療デバイスの表面上の最外側層として示され、且つ、上記被覆は、薬剤／ポリマ組成物および選択的に付加的な成分を備える付加的な中間層を備え得る。図１０Ａ−１、図１０Ａ−２および図１０Ａ−３は、デバイスを被覆する基底膜層および中間層を付加的に示している。
【０１４２】
ステントから成る別実施例において薬剤／ポリマ基質を備える被覆組成物は、ステントのフレーム要素または螺旋要素などの如き該ステントの部分に対して適用され得る。本発明のこの側面において薬剤／ポリマ基質により覆われないステントの残存表面は、図１０Ｂに示された如くステント表面の一部上でまたはステントの残存表面全体上で配位子層により被覆され得る。図１０Ｂにおける実施例において医薬放出成分および抗体改変表面は、デバイスの交互的表面上に露出される。これによれば、（ステントの前端部および後端部における更に健康な組織、および、ステントの高度に罹患した中央部分すなわち病巣の中央などの）血管のセグメントの更に目標限定された治療が許容されると共に、医薬成分、抗体表面と、ステントの表面上において新たに付着した内皮細胞との間の相互作用が最小限とされる。
【０１４３】
図１０Ｂに示された如くステント端部構成要素は、たとえば、抗体または小寸分子（ＥＰＣ捕捉）表面を備え得る。螺旋状構成要素１６０は基底膜基礎被覆を備え得ると共に、螺旋状セグメント１７０は、長期の血管開存性を維持するｅＮＯＳ、ｔＰＡ、スタチンおよび／または抗体などの作用物質を溶出する非分解性の生体適合性ポリマ基質から成り得る遅効性医薬成分を表す。図１０Ｂはまた、ステントのリング状構成要素１８０は早期の新内膜過形成／平滑筋細胞移動を抑制する速効性医薬物質から成り得ることから、ステント２００全体はデバイスの各部分において異なる被覆により被覆されることも示している。
【０１４４】
以下の例は本発明を例示するが、本発明の有効範囲を制限するものではない。
【０１４５】
実施例１
被覆組成物の調製
ポリマであるポリＤＬラクチド−ｃｏ−グリコリド（ＤＬＰＬＧ、バーミンガム・ポリマ社）がペレットとして提供される。ステントを被覆するポリマ基質組成物を調製すべく、上記ペレットが計量されると共にケトンまたは塩化メチレン溶媒に溶解されて溶液を形成する。薬剤は同一溶媒に溶解されると共に必要な濃度までポリマ溶液に加えられることから、均一な被覆用溶液が形成される。被覆基質の展性を改善して反応速度を変更すべく、グリコリドに対するラクチドの比率は変更され得る。この溶液は次にステントを被覆すべく使用され、図１１に示された如き均一な被覆を形成する。図１２は、本発明の被覆済みステントの断面図を示している。ポリマ／薬剤組成物は、種々の標準的方法を用いてステントの表面上に堆積され得る。
【０１４６】
実施例２
ポリマ／薬剤の評価および濃度
ステントを噴射被覆するプロセス。溶媒に溶解されたＤＬＰＬＧのポリマ・ペレットは、一種類以上の薬剤と混合される。代替的に、一種類以上のポリマが溶媒に溶解され得ると共に、一種類以上の薬剤が添加して混合され得る。結果的な混合物は、標準的方法を用いてステントに塗付される。被覆および乾燥の後、ステントは評価される。以下のリストは、ＤＬＰＬＧおよび／またはそれらの組み合わせから成る種々の薬剤を用いて研究された被覆組み合わせの種々の例を例証している。これに加えて該処方は、ＤＬＰＬＧの基礎被覆、および、ＤＬＰＬＧまたはＤＬＰＬＡもしくはＥＶＡＣ２５などの別のポリマの頂部被覆から成り得る。上記被覆において用いられる薬剤およびポリマの省略形は以下の如くである：ＭＰＡはミコフェノール酸、ＲＡはレチノイン酸；ＣＳＡはシクロスポリンＡ；ＬＯＶはロバスタチン（登録商標）（メビノリン）；ＰＣＴはパクリタキセル；ＰＢＭＡはポリブチル・メタクリレート、ＥＶＡＣはエチレン酢酸ビニル共重合体；ＤＬＰＬＡはポリ（ＤＬ−ラクチド）、ＤＬＰＬＧはポリ（ＤＬラクチド−ｃｏ−グリコリド）。
【０１４７】
本発明において使用され得る被覆成分および量（％）の例は次のものから成る：
１．５０％ＭＰＡ／５０％ポリＬラクチド
２．５０％ＭＰＡ／５０％ポリＤＬラクチド
３．５０％ＭＰＡ／５０％（８６：１４ポリＤＬラクチド−ｃｏ−カプロラクトン）
４．５０％ＭＰＡ／５０％（８５：１５ポリＤＬラクチド−ｃｏ−グリコリド）
５．１６％ＰＣＴ／８４％ポリＤＬラクチド
６．８％ＰＣＴ／９２％ポリＤＬラクチド
７．４％ＰＣＴ／９２％ポリＤＬラクチド
８．２％ＰＣＴ／９２％ポリＤＬラクチド
９．８％ＰＣＴ／９２％の（８０：２０ポリＤＬラクチド／ＥＶＡＣ４０）
１０．８％ＰＣＴ／９２％の（８０：２０ポリＤＬラクチド／ＥＶＡＣ２５）
１１．４％ＰＣＴ／９６％の（５０：５０ポリＤＬラクチド／ＥＶＡＣ２５）
１２．８％ＰＣＴ／９２％の（８５：１５ポリＤＬラクチド−ｃｏ−グリコリド）
１３．４％ＰＣＴ／９６％の（５０：５０ポリＤＬラクチド−ｃｏ−グリコリド）
１４．２５％ＬＯＶ／２５％ＭＰＡ／５０％の（ＥＶＡＣ４０／ＰＢＭＡ）
１５．５０％ＭＰＡ／５０％の（ＥＶＡＣ４０／ＰＢＭＡ）
１６．８％ＰＣＴ／９２％の（ＥＶＡＣ４０／ＰＢＭＡ）
１７．８％ＰＣＴ／９２％ＥＶＡＣ４０
１８．８％ＰＣＴ／９２％ＥＶＡＣ１２
１９．１６％ＰＣＴ／８４％ＰＢＭＡ
２０．５０％ＣＳＡ／５０％ＰＢＭＡ
２１．３２％ＣＳＡ／６８％ＰＢＭＡ
２２．１６％ＣＳＡ／８４％ＰＢＭＡ
【０１４８】
実施例３
以下の実験は、実施例２に記述された方法により被覆されたステント上の被覆の薬剤溶出プロフィルを測定すべく行われた。ステント上の被覆は、４％のパクリタキセルと、９６％の５０：５０ポリ（ＤＬラクチド−ｃｏ−グリコリド）ポリマから成っていた。各ステントは５００μｇの被覆組成物で被覆されると共に、３ｍｌの牛血清中で３７℃で２１日に亙り温置された。血清内に放出されたパクリタキセルは、温置期間の間における種々の日時に標準的技術を用いて測定された。上記実験の結果は図１３に示される。図１３に示された如く、パクリタキセル放出の溶出プロフィルは非常に低速であると共に制御されている、と言うのも、２１日期間でステントからは約４μｇのみのパクリタキセルが放出されるからである。
【０１４９】
実施例４
以下の実験は、実施例２に記述された方法により被覆されたステント上の被覆の薬剤溶出プロフィルを測定すべく行われた。ステント上の被覆は、４％のパクリタキセルと、９２％の５０：５０ポリ（ＤＬ−ラクチド）と、ＥＶＡＣ２５ポリマから成っていた。各ステントは５００μｇの被覆組成物で被覆されると共に、３ｍｌの牛血清中で３７℃で１０日に亙り温置された。血清内に放出されたパクリタキセルは、温置期間の間における種々の日時に標準的技術を用いて測定された。上記実験の結果は図１４に示される。図１４に示された如く、パクリタキセル放出の溶出プロフィルは非常に低速であると共に制御されている、と言うのも、１０日期間でステントからは約６μｇのみのパクリタキセルが放出されるからである。
【０１５０】
実施例５
以下の実験は、実施例２に記述された方法により被覆されたステント上の被覆の薬剤溶出プロフィルを測定すべく行われた。ステント上の被覆は、８％のパクリタキセルと、９２％の８０：２０ポリ（ＤＬ−ラクチド）と、ＥＶＡＣ２５ポリマから成っていた。各ステントは５００μｇの被覆組成物で被覆されると共に、３ｍｌの牛血清中で３７℃で１４日に亙り温置された。血清内に放出されたパクリタキセルは、温置期間の間における種々の日時に標準的技術を用いて測定された。上記実験の結果は図１５に示される。図１５に示された如く、パクリタキセル放出の溶出プロフィルは非常に低速であると共に制御されている、と言うのも、１４日期間でステントからは約４μｇのみのパクリタキセルが放出されるからである。
【０１５１】
実施例６
以下の実験は、実施例２に記述された方法により被覆されたステント上の被覆の薬剤溶出プロフィルを測定すべく行われた。ステント上の被覆は、８％のパクリタキセルと、９２％のポリ（ＤＬ−ラクチド）ポリマとから成っていた。各ステントは５００μｇの被覆組成物で被覆されると共に、３ｍｌの牛血清中で３７℃で２１日に亙り温置された。血清内に放出されたパクリタキセルは、温置期間の間における種々の日時に標準的技術を用いて測定された。上記実験の結果は図１６に示される。図１６に示された如く、パクリタキセル放出の溶出プロフィルは非常に低速であると共に制御されている、と言うのも、２１日期間でステントからは約２μｇのみのパクリタキセルが放出されるからである。上記データは、被覆のポリマ成分を変更することにより薬剤の放出は必要な期間に亙り制御され得ることを示している。
【０１５２】
実施例７
この実験においては、実施例２に記述された如く９２％のＰＧＬＡおよび９％のパクリタキセルから成る組成物により被覆されたステントの溶出プロフィルが測定された。ポリマ基質からのパクリタキセルの放出反応速度に対するデータを提供するために、溶出試験が使用される。生体内状態を近似すべく、３７℃における子牛血清へのパクリタキセルの放出が使用された。血清は血液と類似するが、このシミュレーションは植設されたデバイスの実際の放出反応速度を必ずしも反映しない。このシミュレーションは反復可能で制御された環境を提供し、該環境からは相対放出が評価され得る。溶出データは、０．１３、０．２０、０．２９、０．３８μｇ／ｍｍ２のパクリタキセルから成る一群のパクリタキセル被覆ステントに関して収集された。０．１３および０．２６μｇ／ｍｍ２のユニットは、動物の試験研究で評価された。
【０１５３】
溶出試験方法：被覆済みステントは、３７℃にて子牛血清内に載置される。指定された時点において、各ステントは血清から取出される。被覆からは、残存パクリタキセルが抽出される。放出されたパクリタキセルの量は、ステント上に装填されたパクリタキセルの最初の装填量から、ステント上に残存するパクリタキセルの量を減算することにより算出される。図１７は、１平方ミリメートル当たりのステント表面から放出されたパクリタキセルの量を例証している。表１は、１日、１４日および２８日における試験管内の放出反応速度の範囲を示している。図１６および表１に見られる如く、被覆の放出反応速度は低速である、と言うのも、パクリタキセルは１日における０〜０．０５１μｇ／ｍｍ２から２８日における０．０４６〜０．２７２μｇ／ｍｍ２に亙るからである。
【０１５４】
【表１】
2009515659.tif 000003
【０１５５】
実施例８
４％パクリタキセル／９６％ＰＧＬＡおよび１００％ＰＧＬＡにより夫々被覆されたステントにより、７０日および４８日までの付加的な血清溶出データが実施された。報告された様にパクリタキセルの溶出は、血清中のパクリタキセルの量を４２日まで分析することで監視される。ＴＧ０３３１Ａに対し９０日における溶出を特徴付けるべく、ステント上の残存パクリタキセルを監視する試験法が使用される。試験に対して利用可能な５本のステント上の残存パクリタキセルは、２．２９マイクログラムの平均値（範囲１．８７〜２．８６最大）を与えた。
【０１５６】
被覆済みステントの重量は、３７℃における血清内での溶出の間における指定時点にて測定された。非処理ユニットおよび模擬無菌ユニット（４０℃、１８時間）を比較すると、重量喪失プロフィルの差が例証される。同様に、薬剤なしでのＰＧＬＡの重量喪失が比較のために示される。図１８は、これらの実験の結果を示している。図１８に見られる如く、模擬無菌によれば、被覆済みステントの重量のゲインが引き起こされる。
【０１５７】
実験の各時点においてステント被覆は顕微鏡で検証かつ写真撮影される。以下の表２は、サンプル番号１〜３の幾つかの視覚的特性を示している。
【０１５８】
【表２】
2009515659.tif 000004
【０１５９】
図１９Ａ乃至図１９Ｄは、被覆内に存在する実質的に全ての薬剤は９０日の血清温置の後で溶出する一方、一定のポリマ基質はステントに付着したままであることを示している。重量変化、薬剤溶出および顕微鏡評価の組み合わせによれば、被覆済み表面の良好な特性解析が提供される。サンプル番号２および番号３は、模擬無菌状態を見込んでおらず、更に類似して応答した。模擬無菌状態に委ねられたサンプル、すなわちサンプル番号１は血清内で被覆の更に低速な分解速度を有する。顕微鏡による被覆外観には、この群に対して所定量の被覆が残存するという傾向が見られる。これは意味が在る、と言うのも、模擬無菌状態はポリマのＴｇより僅かに低温であり、物質の一定の焼鈍しを引き起こし得るからである。
【０１６０】
９０日における薬剤溶出は、実質的に全ての薬剤が被覆から溶出したことを例証している。測定された薬剤の量は最大である、と言うのも、分解したポリマもまた試験波長における一定の吸光度に帰着するからである。残存薬剤に対する他のロットに関する試験を考察すると、血清内で２８日後に約８０％の薬剤が溶出されることが例証される。
【０１６１】
これらの結果は、ポリマは依然として存在するが、４％パクリタキセルが装填されたＰＧＬＡ基質から薬剤は血清内で９０日にて実質的に溶出されたことの証拠を提供する。
【０１６２】
実施例９
抗ＣＤ３４が被覆されたステンレス鋼ディスクによる内皮細胞の捕捉：当該実験の存続時間に亙り、ヒト臍帯静脈内皮細胞（ＨＵＶＥＣ）（米国細胞バンク）が内皮細胞成長培地で成長された。細胞は、抗体が表面上に在るもしくは無いデキストランおよびゼラチンにより被覆されたサンプル、または、剥き出しのステンレス鋼（ＳＳＴ）サンプルと共に温置される。温置の後、成長培地が取り外され、各サンプルはＰＢＳ内で２回洗浄される。細胞は１０分に亙り２％パラホルムアルデヒド（ＰＦＡ）で固定されると共に、ＰＢＳ内で洗浄毎に１０分として３回洗浄され、全ての固定作用物質が除去されることが確実とされる。各サンプルは室温にて３０分に亙り遮断溶液と共に温置され、全ての非特異的結合が遮断される。各サンプルは、ＰＢＳにより一旦洗浄され、１：１００のＶＥＧＦＲ−２抗体の希釈液に晒され、且つ、一晩中温置される。各サンプルは引き続きＰＢＳにより３回洗浄されることで、全ての一次抗体が除去されることが確実とされる。夫々のサンプルに対しては、１：１００の希釈にて遮断溶液内のＦＩＴＣ共役二次抗体が加えられ、ベリーダンサ装置上で室温にて４５分温置された。温置の後でサンプルは、一旦は０．１％のＴｗｅｅｎ２０を含むＰＢＳにより且つその後は再びＰＢＳ内として、ＰＢＳ内で三回洗浄される。上記サンプルに対しては沃化プロピジウム（ＰＩ）が組み込まれ、共焦点顕微鏡下で視覚化される。
【０１６３】
図２０Ａ乃至図２０Ｅは、デキストランおよび抗ＣＤ３４抗体により被覆されたＳＳＴサンプル（図２０Ａ）、ゼラチンおよび抗ＣＤ３４抗体により被覆されたＳＳＴサンプル（図２０Ｂ）、剥き出しのＳＳＴ（図２０Ｃ）、デキストランにより被覆されたが抗体なしのＳＳＴサンプル（図２０Ｄ）、および、ゼラチン被覆されたが抗体なしのＳＳＴサンプル（図２０Ｅ）の顕微鏡写真である。各図は、ＰＩ着色により示された如く、抗体被覆されたサンプルのみが該サンプルの表面に対して付着した多数の細胞を含むことを示している。剥き出しのＳＳＴ比較対照ディスクは、その表面に付着した細胞を殆ど示さない。
【０１６４】
図２１Ａ乃至図２１Ｃは、表面に対して抗体を結合せずにデキストラン被覆された比較対照サンプルの顕微鏡写真である。図２１Ａは、ＰＩ着色により理解される如くサンプルの表面に付着した非常に少ない細胞を示している。図２１Ｂは付着細胞がＶＥＧＦＲ−２陽性であることからそれらは内皮細胞であることを示すと共に、図２１Ｃは着色核とＶＥＧＦＲ−２陽性の緑色蛍光との組み合わせを示している。図２１Ｄ乃至図２１Ｆは、表面上の抗体なしでゼラチンにより被覆された比較対照サンプルの顕微鏡写真である。図２１Ｄは細胞の存在を示さない、と言うのも、ＰＩ着色は該サンプルに存在せず且つ該サンプルから緑色蛍光は発せられないからである（図２１Ｅおよび図２１Ｆを参照）。
【０１６５】
図２２Ａ乃至図２２Ｃは、表面に抗ＣＤ３４抗体が結合されたデキストラン被覆ＳＳＴサンプルの顕微鏡写真である。各図は、サンプルが略々融合性の単層を確立する多数の付着細胞を含む（図２２Ａ）と共に、緑色蛍光により示される如くＶＥＧＦＲ−２陽性（図２２Ｂおよび図２２Ｃ）であることを示している。同様に図２２Ｄ乃至図２２Ｆは、表面に抗ＣＤ３４抗体が結合されたゼラチン被覆サンプルの顕微鏡写真である。これらの図もまた、多数の赤着色された核およびＶＥＧＦＲ−２／ＦＩＴＣ抗体からの緑色蛍光（図２２Ｅおよび図２２Ｆ）により示される如く、サンプルの表面にＨＵＶＥＣが付着したことを示している。
【０１６６】
実施例１０
血管拡張化合物および固有細胞表面マーカ（短小化ＭＨＣ−Ｉ）の両方をコード化するバイシストロン性ベクタによる豚の内皮前駆細胞（ＥＰＣ）の遺伝子導入
ＭＨＣ−Ｉは、血管内プロテーゼ上に固定化された特異的抗体により認識され得る。抗体により被覆されたステントは豚の冠状動脈内に植設され、次に、豚に対し、遺伝子的に修飾されたＥＰＣの移植が追随する。ＥＰＣは抗体／抗原の相互作用を以て、被覆済みステントにより捕捉され、ステント・ストラットの全体に亙り内皮単層が形成される。捕捉された細胞は過剰発現された血管拡張因子を分泌し、末端側の流れを増大し、正の再構成をトリガし得る。
【０１６７】
プラスミド選択：ミルテニ・バイオテック社（Ｍｉｌｔｅｎｙｉ  Ｂｉｏｔｅｃ）（ドイツ）によれば、ｐＭＡＳＣＳＫｋプラスミド・ベクタから成るＭＡＣＳｅｌｅｃｔ  Ｋシステムが開発されている。ｐＭＡＣＳＫ．ＩＩプラスミド・ベクタは、プロスタサイクリン・シンテターゼ遺伝子をコード化するｃＤＮＡならびに短小化マウスＭＨＣクラスＩ分子であるＨ−２Ｋをコード化する遺伝子がクローン化されるというマルチクローニング部位（ＭＣＳ）を含むバイシストロン性ベクタ（５２２９塩基対）である。上記システムは遺伝子導入細胞を選択するために開発されたものであり、短小化ＭＨＣ分子が選択マーカとして作用する。生来のＨ−２Ｋ発現は一定の希なネズミ系統（たとえばＡＫＲＩＪＡまたはＣＢＮＪ）に限られることから、Ｈ−２Ｋｋ表面蛋白質（ミルテニ・バイオテック社）に対するモノクローナル抗体は実質的に、他の表面抗原に対する外生反応性が無い。
【０１６８】
全血に対する交差反応性の評価：抗Ｈ−２Ｋｋ抗体は豚の全血の細胞成分と交差反応しないことを確認すべく、全血はＦＩＴＣ共役抗Ｈ−２Ｋ抗体と反応されると共に、全血ＦＡＣＳ分析（Ｂｅｃｋｍａｎ  Ｃｏｕｌｔｅｒ  Ｃｙｔｏｍｉｃｓ  ＦＣ５００）に委ねられる。陽性対照物として、全血は、Ｈ−２Ｋｋ表面抗原を発現するマウスの脾臓繊維芽細胞ラインＡＫＲＩＪＡＳｐ（米国細胞バンク（ＡＴＣＣ））により“スパイク”される。
【０１６９】
繊維芽細胞の培養：ＡＫＲ／ＪＡ．Ｓｐ繊維芽細胞は、４ｍＬのＬグルタミン、４５００ｍｇ／Ｌのグルコース、１ｍＭのピルビン酸ナトリウム、１５００ｍｇ／Ｌの重炭酸ナトリウム、および、１０％の胎児牛血清により調製されたダルベッコス社の改変イーグル培地（Ｄｕｌｂｅｃｃｏｓ’ｓ  Ｍｏｄｉｆｉｅｄ  Ｅａｇｌｅ’ｓ  Ｍｅｄｉｕｍ）（ＤＭＥＭ）を用いて、非被覆のＴ−７５プラスチック・フラスコ（モントリオール、サーステット社［Ｓａｒｓｔｅｄｔ］）内で培養される。細胞の解離は、トリプシン／ＥＤＴＡ（インビトロゲン社［Ｉｎｖｉｔｒｏｇｅｎ］）を用いて実施される。Ｈ−２Ｋｋ発現は、蛍光標識されたＨ−２Ｋｋ抗体を用いる免疫組織化学的分析により確認される。簡潔には、２ウェル式の被覆なしチャンバ・スライドにおいて０．５×１０６細胞／ｃｍ２にて、細胞が塗付される。培養液は、１、２、３および４日目に２％パラホルムアルデヒドで固定されると共にＦＩＴＣ共役Ｈ−２Ｋ抗体（ドイツ、ミルテニ・バイオテック社）および核マーカである沃化プロピジウム（ＰＩ）（ベクタシールド封入剤［Ｖｅｃｔａｓｈｉｅｌｄ  Ｍｏｕｎｔｉｎｇ  Ｍｅｄｉｕｍ］、ベクタラボラトリ社［Ｖｅｃｔｏｒ  Ｌａｂｏｒａｔｏｒｉｅｓ］）により着色される。分析および定量は、共焦点顕微鏡（Ｎｉｋｏｎ  Ｅｃｌｉｐｓｅ  Ｅ８００−Ｂｉｏｒａｄ  Ｒａｄｉａｎｃｅ  ２  １００）を用いて実施される。陰性対照物としては、人間の繊維芽細胞が使用される。
【０１７０】
非付着細胞の分析：血液の存在下でこのシステムを使用する実施可能性を確認するために、Ｈ−２Ｋｋ表面蛋白質の保持に対して非付着形態のＡＫＲＩＪＡ．Ｓｐ細胞が特徴付けられる。細胞は、Ｔ−７５非被覆フラスコ内で上述された如く培養される。４日目における付着細胞がトリプシン／ＥＤＴＡを用いて解離されると共に、Ｈ−２Ｋｋ表面蛋白質を発現している細胞の個数は、ＦＩＴＣ共役Ｈ−２Ｋｋ抗体およびＦＡＣＳ分析（Ｂｅｃｋｍａｎ  Ｃｏｕｌｔｅｒ  Ｃｙｔｏｍｉｃｓ  ＦＣ５００）を用いて決定される。陰性対照物としては、ＦＩＴＣ標識されたマウスのＩｇＧ２ａイソタイプが使用される。
【０１７１】
プラスミド構造：プロスタサイクリン・シンテターゼをコード化するｃＤＮＡは、マルチクローニング部位におけるＢａｍＨＩおよびＨｉｎｄＩＩＩ制限配列を用いてバイシストロン性プラスミド・ベクタｐＭＡＣＳＫｋ．ＩＩ（ドイツ、ミルテニ・バイオテック社）へとクローン化される。プラスミド構造内にプロスタサイクリン・シンテターゼ遺伝子およびｐＶＡＸ−１を含む１１５３塩基対のｃＤＮＡが使用される。選択作用物質としてアンピシリン（５０ｎｇ／ｍｌ）の存在下で、ＨＧ７０  Ｅｃｏｌｉの形質転換が実施される。
【０１７２】
ヒトのα−ＣＧＲＰに対する完全なｃＤＮＡは、プラスミド・ベクタｐＰＣＲ−Ｓｃｒｉｐｔ  Ａｍｐ  ＳＫ（＋）においてオープン・バイオシステムズ社（Ｏｐｅｎ  Ｂｉｏｓｙｓｔｅｍｓ）から求められた（アラバマ州、ハンツビル、カタログ番号ＭＨＳ  １７６８−９  １４４１  １７）。断片は次に、ＢａｍＨＩ／ＥｃｏＲＩと共にバイシストロン性プラスミド・ベクタｐＭＡＣＳＫ．ＩＩへと結紮（けっさつ）される。ＪＭ１０９  Ｅ  ｃｏｌｉが形質転換され、大量のプラスミドが得られる。
【０１７３】
ＥＰＣ遺伝子導入：豚の単核細胞はフィコールの密度遠心法により豚の全血から富化されると共に、上述された如く富化培養液からＥＰＣが分離される。培養液内で７日後にＥＰＣは、核穿孔（Ａｍａｘａ  Ｎｕｃｌｅｏｆｅｃｔｏｒ、ドイツ）を用い、α−ＣＧＲＰまたはプロスタサイクリン・シンテターゼを含む導入遺伝子を含むバイシストロン性プラスミド・ベクタを以て遺伝子導入される。ｐＶＡＸｔプラスミドにおいてレポータ遺伝子および内皮窒素酸化物シンテターゼ（ｅＮＯＳ）の両方を用いることで、ＥＰＣの＞７０％の電気穿孔遺伝子導入効率が得られた（データは示されない）。好首尾に遺伝子導入されてＨ−２Ｋｋ表面蛋白質を発現するＥＰＣは、ＭＡＣＳ死滅細胞除去キット、ＭＡＣＳｅｌｅｃｔ  ＫｋマイクロビーズおよびＭＳ分離カラム（ミルテニ・バイオテック社）を用いて精製かつ分離された。ＭＡＣＳｅｌｅｃｔ  Ｋｋマイクロビーズは生分解可能であり、細胞培養により２４時間以内に喪失される。
【０１７４】
血管拡張因子発現の測定：
プロスタサイクリン・シンテターゼ活性の測定：遺伝子導入されたＥＰＣは遺伝子導入後、２日間に亙り培養液内に維持される。培地は交換され、製造者の指示に従い放射線免疫検定（アメルシャム社［Ａｍｅｒｓｈａｍ  Ｃｏｒｐ．］）により培地におけるプロスタサイクリン・シンテターゼの代謝生成物、６−ケトプロスタグランジンＦｌａ（６−ケト−ＰＧＦｌｃｕ）のレベルを測定することで評価される。
【０１７５】
α−ＣＧＲＰ活性の測定：遺伝子導入細胞におけるα−ＣＧＲＰ発現は、免疫組織化学染色キット（米国、ベイケム社［Ｂａｃｈｅｍ］）を用いて決定される。培養液内で３日間に亙り遺伝子導入されたＥＰＣは、−１０℃のメタノール中に５分間固定される。細胞は洗浄され、空気乾燥される。内因性の過酸化物活性を低下させるために、固定された細胞は、ＰＢＳ中の０．５％過酸化水素溶液中に７分間に亙り温置される。非特異的な結合を遮断すべく、上記細胞は血清遮断液内で２０分間に亙り温置される。細胞は次に、３種類の希釈１：１００、１：２００および１：５００にて一次抗体である抗α−ＣＧＲＰ（ウサギモノクローナル、ベイケム社）により２時間に亙り処理される。次にスライドが洗浄され、ビオチン化二次抗体に対して３０分間に亙り露出される。細胞は次に、濯がれ、ＨＲＰ−ストレプトアビジン錯体により３０分間に亙り処理される。ＰＢＳ洗浄の後、細胞は基質−色素原混合物に対し３分間に亙り露出される。反応は、脱イオン水の付加により停止される。スライドは、メイヤのヘマトキシリンにより３分間に亙り対比染色される。スライドは次に水道水中で洗浄され、青色に変わるまでＰＢＳ内に載置されてから、蒸留水により濯がれる。スライドは次に、９５％および１００％のエタノールおよびキシレンを用いて脱水される。スライドはカバーガラスが付され、光学顕微鏡下で検証される。
【０１７６】
抗体により被覆されたステント：前述された如く、ステンレス鋼ステント（９ｍｍ長）が、デキストランおよび抗Ｈ−２Ｋｋ抗体により被覆される。
【０１７７】
生体内の細胞捕捉：全ての実験は、雄の若いヨークシャー豚（＞３０ｋｇ）において実施される。動脈アクセスは、左頚動脈における動脈切開により行われる。冠状動脈内に２００μｇのニトログリセリンを投与した後、冠状動脈の血管造影が行われ、オンラインでの定量的な冠状動脈血管造影評価が実施される。ステントは、ＬＡＤ、冠動脈回旋枝または右冠状動脈のいずれかの近位側セグメントに対してランダムに１．１：１のステント対血管比で展開される。一旦植設されたなら、冠状動脈内に２００μｇのニトログリセリンが投与される。次に血管内超音波（ＩＶＵＳ）が実施されることで、遠位側および近位側の基準として遠位側側枝および展開ステントの遠位側マージンを用いて血管口径が決定される。プロスタサイクリン・シンテターゼまたはα−ＣＧＲＰ細胞のいずれかをコード化するバイシストロン性ベクタを以て遺伝子導入された細胞の投与は、試作品のタンデム・バルーン・カテーテル（コーディス社［Ｃｏｒｄｉｓ  Ｃｏｒｐｏｒａｔｉｏｎ］）を用いて達成される。該カテーテルは、該デバイスの末端の近傍に配置された高度に弾性的な２個のバルーンであって単一の膨張ポートを通して膨張されるバルーンを備えていた。一旦膨張されたなら、各バルーン間における１．０ｃｍ長の血管が分離され、局在化された注入チャンバが生成される。遠位側の血液流は中央内孔により提供され、且つ、分離された２つの内孔を介して上記チャンバの全体に亙り溶液が注入または吸引される。注入用内孔は遠位側バルーンの近傍で終端し、且つ、排出用内孔は近位側バルーンの近傍の１個のポートにて終端する。上記タンデム・バルーン・カテーテルは、ステント植設の部位へと前進され、各バルーンは２５ｐｓｉ（１．７気圧）へと膨張される。分離されたセグメントから血液がなくなるまで、滴注ポートを通して塩水が供与される。ステント設置された動脈セグメントは、塩水注入もしくは細胞供与のいずれかを受けるべくランダム化される。１０分間に亙る２００μＬ／分の注入速度による２ｍｌの細胞懸濁液において合計で３×１０６個のＥＰＣが与えられ、１０分の温置時間が追随する。次に動脈切開部位が閉じられ、動物の回復が許容される。動物は、細胞治療の後、２８日間に亙り収容される。合計で３４匹の動物が治療される（１０匹は塩水比較対照物、１４匹はプロスタサイクリン・シンテターゼ、１４匹はα−ＣＧＲＰ）。各群からの２匹の動物は、細胞供与の後、１時間後に犠牲とされる。ステント設置セグメントは外植されると共に洗流され、１０％に緩衝されたホルマリンＰＢＳ内における３０秒間に亙る固定と、０．１Ｍカコジル酸ナトリウム緩衝液（シグマ社）内の２．５％のグルタルアルデヒド（ＢＤＨ社）を有する２％ＰＦＡによる一晩に亙る更なる固定とにより、ＳＥＭに対して準備される。固定後処理は、０．１Ｍのカコジル酸塩緩衝液内における１％の四酸化オスミウム（シグマ社）により完了されてから、エタノールによる連続的な脱水および引き続くＣＯ２による臨界点乾燥が行われる。乾燥の後で各サンプルは、ステント・ストラットに結合した細胞の存在のために、金スパッタされ且つＳＥＭ下で視覚化される。ステント植設の５日後、プロスタサイクリン・シンテ���ーゼの群からの２匹の動物、および、α−ＣＧＲＰの群からは２匹の動物が犠牲とされる。外植されたステント設置動脈セグメントは、標準的な組織化学分析に対して処理されるまで、１０％ホルマリン／ＰＢＳ溶液内に載置される。各ステントからは５個の区画が切断される：ステントの近位側に１ｍｍ、ステントの基端から１ｍｍ、ステントの中央、ステントの末端から１ｍｍ、および、ステントの遠位側に１ｍｍ。各区画は、ヘマトキシリンおよびエオシン（ＨＥ）およびエラスチン・トリクロームにより着色される。供与された細胞の排除の証拠を評価するために、炎症スコア［Ｋｏｒｎｏｗｋｉ  Ｓｃｏｒｅ  （０−３）］が決定される。指標手順（約２８日）の後、動物は麻酔されると共に、右頚動脈における動脈切開を介して冠状動脈血管造影が実施される。定量的な冠状動脈血管造影が実施されると共に血管はＩＶＵＳを用いて調べられ、血管口径の変化は標準的な臨床的アルゴリズムを用いて記録される。
【０１７８】
実施例１１
血管再構成における使用のための試験管内での哺乳動物細胞の遺伝子導入：
アデノシンを生成する役割を果たす蛋白質と、前立腺特異的な細胞膜蛋白質とをコード化する遺伝子を含むバイシストロン性プラスミドの電気穿孔を用いて、前駆内皮細胞が遺伝子導入される。両方の遺伝子はそれら自身の促進因子の制御下であることから、各遺伝子は構成的に発現される。
【０１７９】
上述されたのと同様にして、前立腺特異的な細胞膜蛋白質をコード化する遺伝子であってそれ自身の生来の促進因子を備える遺伝子を備えるベクタが構成されると共に、過剰発現のためのＳＶ４０促進因子を備えたα−ＣＧＲＰをコード化する遺伝子が、同一の発現ベクタ内に直列に配置される。実施例９において記述された如く被検体において使用されるために哺乳動物細胞に遺伝子導入すべく、プラスミド構造が使用され得る。植設の部位の近傍における被覆済み医療デバイスの植設の後に引き続き、患者の血液循環内へと細胞が注入される。
【０１８０】
図２３Ａおよび図２３Ｂに関して示された実施例においては、非孔性材料で形成された基質を備える被覆を有する医療デバイスが示される。特に図２３Ａおよび図２３Ｂは、金属合金から作成されたナノ粒子で形成された基質で形成された孔性被覆を有する代表的なステンレス鋼ステントの走査型電子顕微鏡写真を示している。上記図に見られる如く、上記ステントが血管内へと植設されたときに近傍組織に接触する該ステントのストラットの外側面は、上記基質により被覆される。
【０１８１】
上記に開示された種々のおよび他の特徴および機能、または、その代替物は望ましくは、他の多くの異なるシステムまたは用途に組み合わされ得ることは理解される。また、現在においては想定されず又は予見されない上記における種々の代替例、変更例、改変例または改良例もまた当業者により引き続き実施され得、それらもまた添付の各請求項により包含されることが意図される。
【図面の簡単な説明】
【０１８２】
【図１】Ａはステント・ストラットが、デバイス全体を囲繞する被覆であって、配位子（外側）層と、ストラットの全周を囲繞する薬剤／ポリマ基質（内側）層とから成るという被覆を備える実施例の概略図であり、Ｂはステント・ストラットの断面図である。
【図２】Ａはステント・ストラットが、配位子（外側）層と、ストラットの周囲の約３／４を囲繞する薬剤／ポリマ層とを備えるという実施例の概略図であり、Ｂは断面図である。
【図３】Ａはステント・ストラットが、配位子（外側）層と、ストラットの周囲の３／４を囲繞する薬剤／ポリマ層とを備え、ストラットを囲繞する層の中央区画において薬剤／ポリマ濃度が高いという実施例の概略図であり、Ｂは断面図である。
【図４】Ａ、Ｂはステント・ストラットが配位子（外側）層を備えると共にストラットの周囲の所定区画には断面が複数の半円形に見える薬剤／ポリマ層が適用されるという実施例の概略図であり、Ｃは断面図である。
【図５】Ａはステント・ストラットが、配位子（外側）層と、ストラットの周囲の所定区画に適用された薬剤／ポリマ層とを備えるという実施例の概略図であり、Ｂは断面図である。
【図６】Ａ、Ｂはステント・ストラットが該ストラットの周囲の全体に適用された配位子層を備えると共に、該ストラットの一部に対してはドット・マトリクス状パターンで薬剤／ポリマ層が適用されるという実施例の概略図であり、Ｃは断面図である。
【図７】Ａ、Ｂはステント・ストラットは該ストラットの周囲を囲繞する薬剤／ポリマ層を備え、薬剤／ポリマ層の頂部上には配位子層が適用され、かつ、ストラットの表面の一部分上には付加的な薬剤／ポリマ組成物が適用されるという実施例の概略図であり、Ｃは断面図である。
【図８】Ａはステント・ストラットが該ストラットの全周に対して適用された配位子層を備えると共にストラットの表面の一部分上では配位子層の頂部上に薬剤／ポリマ層組成物がドット・マトリクス状パターンで適用されるという代替実施例の概略図であり、Ｂはデバイスの表面に対して薬剤／ポリマ基質がドット・マトリクス状パターンで適用されると共に配位子層はストラットの全周を囲繞して薬剤／ポリマ組成物を覆うという代替実施例の概略図である。
【図９】Ａ、Ｂは配位子（抗体）および薬剤／ポリマ成分を含む被覆の複数層を示すためにステント・ストラットが断面で示された実施例の概略図であり、Ｃは断面図である。
【図１０Ａ】Ａ−１、Ａ−２およびＡ−３は、ステント・ストラットの表面上の中間および基底膜層を含む被覆の複数層を示すために該ステント・ストラットが断面で示された実施例の概略図である。
【図１０Ｂ】ステントの構成要素部分すなわち螺旋部、リングおよび端部が異なる被覆成分で被覆されるという実施例の概略図である。
【図１１】薬剤溶出組成物および配位子層を示すべく部分的に被覆されたステントの概略図である。
【図１２】被覆の各層を示すステントの概略断面図である。
【図１３】牛血清アルブミン中で２１日間温置された薬剤被覆ステントの溶出プロフィルを示すグラフであり、被覆は５００μｇの４％パクリタキセルおよび９６％ポリマから成っていた。被覆中に使用されたポリマは５０：５０のポリ（ＤＬラクチド−ｃｏ−グリコリド）であった。
【図１４】牛血清アルブミン中で１０日間温置された薬剤被覆ステントの溶出プロフィルを示すグラフであり、被覆は５００μｇの８％パクリタキセルおよび９２％ポリマから成っていた。被覆中に使用されたポリマは５０：５０のポリ（ＤＬラクチド−ｃｏ−グリコリド）／ＥＶＡＣ２５であった。
【図１５】牛血清中で１０日間温置された薬剤被覆ステントの薬剤溶出プロフィルを示すグラフであり、被覆は５００μｇの８％パクリタキセルおよび９２％ポリマから成っていた。被覆中に使用されたポリマは８０：２０のポリＤＬラクチド／ＥＶＡＣ２５であった。
【図１６】牛血清アルブミン中で２１日間温置された薬剤被覆ステントの薬剤溶出プロフィルを示すグラフであり、被覆は５００μｇの８％パクリタキセルおよび９２％ポリ（ＤＬ−ラクチド）ポリマから成っていた。
【図１７】血清アルブミン中で１日、１４日および２８日間温置された薬剤被覆ステントの溶出プロフィルを示すグラフであり、被覆はパクリタキセルおよびＰＧＬＡから成っていた。
【図１８】４％パクリタキセルおよび９６％ＰＧＬＡポリマ基質、ならびに、１００％ＰＧＬＡで被覆されると共に血清アルブミン内で７０日まで温置されたステントの薬剤溶出試験結果を示すグラフである。
【図１９】血清アルブミン上で温置された後における９０日後（ＡＢ）および８４日後（ＣおよびＤ）の薬剤被覆ステントの写真である。
【図２０】ＨＵＶＥＣ細胞と共に温置されると共に沃化プロピジウムにより着色された、デキストランおよび抗ＣＤ３４抗体（Ａ）、ゼラチンおよび抗ＣＤ３４抗体（Ｂ）、剥き出しのステンレス鋼ディスク（Ｃ）、デキストランおよびゼラチンにより被覆されたステンレス鋼ディスクに対して付着したＨＵＶＥＣの顕微鏡写真である。
【図２１】Ａ乃至Ｃは、抗体なしでデキストランにより被覆された比較対照ステンレス鋼ディスクの顕微鏡写真である。Ｄ乃至Ｆは、表面に対して抗体が結合されずにゼラチンで被覆された比較対照ステンレス鋼ディスクの顕微鏡写真である。
【図２２】Ａ乃至Ｃは、表面に抗ＣＤ３４抗体が結合されたデキストラン基質により被覆されたステンレス鋼ディスクの顕微鏡写真である。Ｄ乃至Ｆは、表面に抗体が結合されたゼラチン基質により被覆されたステンレス鋼ディスクの顕微鏡写真である。
【図２３】金属合金で作成されたナノ粒子を備える非ポリマ基質で形成された孔性被覆を備えるステントから成る典型的な医療デバイスの走査型電子顕微鏡写真である。
【符号の説明】
【０１８３】
１００  医療デバイス
１１０  薬剤／ポリマ基質層；薬剤／ポリマ組成物
１２０  配位子層
１３０  不連続層
１４０  層１１０の中央の１／３部分
１５０  ドット・マトリクス状パターン；薬剤／ポリマ基質組成物
１６０  螺旋状構成要素
１７０  螺旋状セグメント
１８０  リング状構成要素
２００  ステント
【図１】
2009515659.tif 000005
【図２】
2009515659.tif 000006
【図３】
2009515659.tif 000007
【図４】
2009515659.tif 000008
【図５】
2009515659.tif 000009
【図６】
2009515659.tif 000010
【図７】
2009515659.tif 000011
【図８】
2009515659.tif 000012
【図９】
2009515659.tif 000013
【図１０Ａ】
2009515659.tif 000014
【図１０Ｂ】
2009515659.tif 000015
【図１１】
2009515659.tif 000016
【図１２】
2009515659.tif 000017
【図１３】
2009515659.tif 000018
【図１４】
2009515659.tif 000019
【図１５】
2009515659.tif 000020
【図１６】
2009515659.tif 000021
【図１７】
2009515659.tif 000022
【図１８】
2009515659.tif 000023
【図１９】
2009515659.tif 000024
【図２０】
2009515659.tif 000025
【図２１】
2009515659.tif 000026
【図２２】
2009515659.tif 000027
【図２３】
2009515659.tif 000028
【国際調査報告】
2009515659.tif 000029